(57)【要約】      （修正有）【課題】睫をメイクアップする、又はケアするためのキットの新規な効果を得る。【解決手段】睫をメイクアップする、又はケアするためのキットにおいて、キットが、組成物の合計重量に対して２６重量％以下のワックス及び親水性ポリマーの合計含有量を有する少なくとも１つの組成物（ｉ）、組成物の合計重量に対して２６重量％超のワックス及び親水性フィルム形成性ポリマーの合計含有量を有する少なくとも１つの組成物（ｉｉ）を含み、上記組成物（ｉ）及び（ｉｉ）の少なくとも１つが連続的水性相を含むこと、及び、キットが、睫の房に施与するための手段であって、少なくとも１つの列の形態で支持部５の上に配置された複数の施与部材６を含み、該列の長さは、施与部材６が睫の房の４分の１以下と同時に接触できるようなものであるところの手段を含むことを特徴とするキットに関する。【選択図】図１
2007296331.tif 000002
【特許請求の範囲】
【請求項１】
睫をメイクアップする及び／又はケアするためのキットにおいて、キットが、
組成物の合計重量に対して２６重量％以下のワックス及び親水性ポリマーの合計含有量を有する少なくとも１の組成物（ｉ）、
組成物の合計重量に対して２６重量％超のワックス及び親水性フィルム形成性ポリマーの合計含有量を有する少なくとも１の組成物（ｉｉ）
を含み、
上記組成物（ｉ）及び（ｉｉ）の少なくとも１つが連続的水性相を含むこと、及び、キットが、睫の房に施与するための手段であって、少なくとも１の列の形態で支持部（５）の上に配置された複数の施与部材（６；６０）を含み、該列の長さは、施与部材（６；６０）が睫の房の４分の１以下と同時に接触できるようなものであるところの手段を含むことを特徴とするキット。
【請求項２】
施与手段が、
柄（４）、
該柄（４）に接続され、長手軸（Ｙ）にそって延びる支持部（５；６１）、
該支持部（５）上に配置され、長手軸（Ｙ）に対して実質的に横方向に延びている複数の施与部材（６；６０）
を含み、
施与部材（６；６０）がせいぜい睫の房の４分の１以下に同時に接触することができるような距離だけ支持部の長手軸（Ｙ）に沿って施与部材（６；６０）が延びており、長手軸（Ｙ）は房に対して実質的に接線方向に向けらていることを特徴とする、請求項１に記載のキット。
【請求項３】
自由端（３０）が列（１０）の両末端の施与部材間を移動するとき、長手軸（Ｙ）への自由端（３０）の距離が単調でなく変化するところの自由端（３０）を施与部材が有することを特徴とする、請求項１又は２のいずれか１項に記載のキット。
【請求項４】
施与部材（６）が、約０．１〜１ｃｍの距離（ｄ）に渡って支持部（５）上で延びていることを特徴とする、請求項１〜３のいずれか１項に記載のキット。
【請求項５】
施与部材（６）が少なくとも２列（１０）に配置され、少なくとも第一列及び第二列の施与部材（６）が互いに平行方向に伸びていることを特徴とする、請求項４に記載のキット。
【請求項６】
施与部材（６）の高さが約０．５〜１０ｍｍであることを特徴とする、請求項１〜５のいずれか１項に記載のキット。
【請求項７】
櫛を含むことを特徴とする、請求項１〜２のいずれか１項に記載のキット。
【請求項８】
組成物（ｉ）及び（ｉｉ）が水性連続相を含むことを特徴とする、請求項１〜７のいずれか１項に記載のキット。
【請求項９】
組成物（ｉ）が組成物の合計重量に対して２４重量％以下のワックス及び親水性ポリマーの合計含有量を有することを特徴とする、請求項１〜８のいずれか１項に記載のキット。
【請求項１０】
組成物（ｉｉ）が組成物の合計重量に対して２７重量％以上のワックス及び親水性ポリマーの合計含有量を有することを特徴とする、請求項１〜９のいずれか１項に記載のキット。
【請求項１１】
組成物（ｉｉ）のワックス及び親水性ポリマーの合計含有量と組成物（ｉ）のワックス及び親水性ポリマーの合計含有量の差が、絶対値として２％以上であることを特徴とする、請求項１〜１０のいずれか１項に記載のキット。
【請求項１２】
キットが、組成物（ｉ）を含む少なくとも１のコンパートメント及び組成物（ｉｉ）を含む少なくとも１のコンパートメントの境界を画する容器の形態の同一のパッケージングに入っており、上記コンパートメントは場合によって閉鎖部材により閉鎖されていてもよいことを特徴とする、請求項１〜１１のいずれか１項に記載のキット。
【請求項１３】
睫をメイクアップする及び／又はケアするための非治療的方法において、
組成物の合計重量に対して２６重量％以下のワックス及び親水性ポリマーの含有量を有する組成物（ｉ）の少なくとも１の被覆を睫に施与する少なくとも１の工程、及び
組成物の合計重量に対して２６重量％超のワックス及び親水性フィルム形成性ポリマーの合計含有量を有する組成物（ｉｉ）の少なくとも１の被覆を施与する少なくとも１の工程
を含む方法であって、
該組成物（ｉ）及び（ｉｉ）の少なくとも１つが連続的水性相を含み、組成物（ｉｉ）を施与する工程が、請求項１〜７のいずれか１項に記載の施与手段を使用して行われることを特徴とする方法。
【発明の詳細な説明】
【技術分野】
【０００１】
本発明は、睫をメイクアップする及び／又はケアするためのキットにおいて、睫をメイクアップする及び／又はケアするための少なくとも１の化粧料組成物及び睫をメイクアップする及び／又はケアするための少なくとも１のチャージング化粧料組成物を含み、該チャージング化粧料組成物を睫の房の一部、特に睫の房の外側せいぜい３分の１以下にのみ施与するための手段を含むキットに関する。
【発明の開示】
【発明が解決しようとする課題】
【０００２】
睫上の新規なメイクアップ効果を得ること、特に睫の房のより実質的に一部の上にのみマスカラを堆積させる必要性がある。
【０００３】
標準的なブラシ又は櫛タイプのアプリケーターを使用して、だまの形成を回避しながら、睫の一部にのみ、物質の正確な堆積物を置くことは困難であることが分かっている可能性がある。
【０００４】
特定のメイクアップ効果を得るために、睫の房の連続していない領域の、対比される物質の堆積物に働きかけることは、実際興味深い。
【課題を解決するための手段】
【０００５】
本発明者らは、睫の一部に大量のメイクアップを、特に睫の房のせいぜい３分の１以下に、より特に睫の房の外側部分に大量の物質の堆積物を施与することにより、目線（gaze）を開き、目を拡大し、場合によって目の形状の知覚を変更する特定のメイクアップ結果が得られることを見出した。房のせいぜい３分の１以下、房の外側上への大量の物質の堆積物を含むそのようなメイクアップは、その外側の隅が吊り上げられたアーモンド型及び長くされた目の印象を与える（目の「リフティング」効果）。
【０００６】
すなわち本発明は、この特定のメイクアップの目的を容易に達成するための手段に向けられる。
【発明を実施するための最良の形態】
【０００７】
すなわち本発明の一つの側面に従うと、本発明の一つの課題は睫をメイクアップする及び／又はケアするためのキットにおいて、
組成物の合計重量に対して２６重量％以下のワックス及び親水性ポリマーの合計含有量を有する少なくとも１の組成物（ｉ）、
組成物の合計重量に対して２６重量％超のワックス及び親水性フィルム形成性ポリマーの合計含有量を有する少なくとも１の組成物（ｉｉ）
を含むキットであって、
該組成物（ｉ）及び（ｉｉ）の少なくとも１つが連続的水性相を含むこと、及び、該キットが、睫の房に施与するための手段であって、少なくとも１の列の形態で支持部（５）の上に配置された複数の施与部材（６；６０）を含み、該列の長さは、施与部材（６；６０）が睫の房のせいぜい４分の１以下と同時に接触できるようなものであるところの手段を含むことを特徴とするキットである。
【０００８】
発明者らは、組成物（ｉ）及び（ｉｉ）（その少なくとも１つがこの特定の施与手段を使用して施与される）、より好ましくは組成物（ｉｉ）の睫への施与が、より体積を増加させる又はチャージングする堆積物を睫の房の一部にのみ、例えば睫の房の外側せいぜい３分の１以下に作ることを容易に可能にすることを観察した。
【０００９】
特に、組成物（ｉ）は、滑らかで均一な堆積物であって、施与しやすく、睫を被覆し、分離し、及び／又は長くする堆積物を得ることを可能にする堆積物を得ることを可能にする。組成物（ｉ）は、控えめにチャージングするメイクアップを得ることを可能にする、すなわちそれは睫を濃くしない。すなわち自然なメイクアップが得られる。すなわち、ワックス及び親水性ポリマーの合計含有量のために、物質のより多い堆積物を作ることを可能にする組成物（ｉｉ）を施与することにより、メイクアップのこの第一フィルム上で、睫の房の一部のみに、例えば睫の房の外側せいぜい３分の１以下に、よりボリュームを与える又はチャージングする堆積物を容易に作ることを可能にする。
【００１０】
すなわち、このキットは、組成物（ｉ）の堆積物により付与されるメイクアップと組成物（ｉｉ）の堆積物により付与されるものとの対比を強調し、同時に審美的ではないと考えられる「だま」の形成を回避することを可能にする。
【００１１】
第二の側面に従うと、本発明は睫をメイクアップする及び／又は非治療的にケアするための方法において、
組成物の合計重量に対して２６重量％以下のワックス及び親水性ポリマーの合計含有量を有する組成物（ｉ）の少なくとも１の被覆を睫に施与する少なくとも１の工程、及び
組成物の合計重量に対して２６重量％超のワックス及び親水性フィルム形成性ポリマーの合計含有量を有する組成物（ｉｉ）の少なくとも１の被覆を施与する少なくとも１の工程
を含む方法であって、
該組成物（ｉ）及び（ｉｉ）の少なくとも１つが連続的水性相を含み、組成物（ｉｉ）を施与する工程が、少なくとも１の列の形態で支持部（５）の上に配置された複数の施与部材（６；６０）を含む施与手段であって、該列の長さは、施与部材（６；６０）が睫の房のせいぜい４分の１以下と同時に接触できるようなものであるところの手段を使用して行われることを特徴とする方法である。
【００１２】
第三の側面に従うと、本発明の課題は、メイクアップされた基体、例えばつけ睫であって、上で定義された方法に従って得られる得るメイクアップを含む基体である。
【００１３】
本発明に従うメイクアップキットは、生理学的に許容される媒体、特に化粧的に許容される媒体、すなわち特に睫及び目の領域と両立する媒体を含む。
【００１４】
ユーザーは、少なくとも２の施与作用により、物質の対比される堆積物によるメイクアップ効果を得ることができる。
【００１５】
組成物（ｉ）及び組成物（ｉｉ）の施与の順序は変わることができる。しかし、組成物（ｉｉ）の前に組成物（ｉ）を施与することが好ましい。
【００１６】
施与の順序に依存して、化粧料組成物の一方又は他方は、「ベースコート」又は「トップコート」と称され得る。
【００１７】
本発明の文脈において、用語「化粧的に許容される」とは、その使用が睫への施与と両立する化合物を意味する。
【００１８】
本発明の目的のために、用語「房」は、瞼の内側の隅から瞼の外側の隅までの、上瞼の睫又は下瞼の睫の、又はユーザーの目の一方又は他方の眉弓の眉毛を意味する。
【００１９】
用語「１の〜を含む」とは、表現「少なくとも１の〜を含む」と同義であると、そして用語「〜の間」とは、他に明記されない限り限界を含むと理解されるべきである。
【００２０】
成分のすべての含有量は固体として表現される。
【００２１】
用語「施与手段」及び「アプリケーター」は、詳細な説明の残部においては優先なしに使用される。
【００２２】
用語「水性連続相を有する組成物」とは、組成物が２５℃において測定されて２３μＳ／ｃｍ（マイクロシーメンス／ｃｍ）超の電導度を有し、電導度は、例えばメトラートレド製のＭＰＣ２２７電導計及びＩｎｌａｂ７３０電導度測定セルを使用して測定される。測定セルは、セルの２つの電極の間に形成される可能性のある空気の泡を除去するために組成物に浸漬される。電導度の読み取は電導計の値が安定したら直ちに行われる。少なくとも３の連続測定において平均が決定される。
【００２３】
一つの好ましい実施態様に従うと、２つの組成物（ｉ）及び（ｉｉ）は、水性連続相を含む。
【００２４】
本発明に従う組成物（ｉ）は、組成物の合計重量に対して２６重量％以下、好ましくは２４重量％以下、より良くは２３．５重量％以下のワックス及び親水性ポリマーの合計含有量を有する。
【００２５】
本発明に従う組成物（ｉ）は、組成物（ｉ）の合計重量に対して１０重量％以上、好ましくは１５重量％以上の合計含有量のワックス及び親水性ポリマーを含む。
【００２６】
一つの好ましい実施態様に従うと、本発明に従う組成物（ｉｉ）は、好ましくは水性連続相と共に、組成物の合計重量に対して２６重量％超、好ましくは２７重量％以上、より良くは２８重量％以上の合計含有量のワックス及び親水性ポリマーを有する。
【００２７】
それらは、組成物（ｉｉ）の合計重量に対して５０重量％までの範囲のワックス及び親水性ポリマーの合計含有量を有し得る。
【００２８】
本発明の一つの特定の実施態様に従うと、キットは、組成物（ｉｉ）のワックス及び親水性ポリマーの合計含有量と組成物（ｉ）のワックス及び親水性ポリマーの合計含有量の差が、絶対値として２％以上、又は３％以上でさえ、より良くは４％以上であるようなものである。
【００２９】
ワックス
本発明の目的のために、用語「ワックス」は、親油性化合物であって、室温（２５℃）において固体であり、可逆の固体／液体の状態変化を有し、３０℃以上であって、１２０℃までであり得る融点を有するものを意味する。
【００３０】
ワックスの融点は、示差走査熱量計（ＤＳＣ）、例えばメトラー社によりＤＳＣ３０の名前で販売されている熱量計を使用して測定され得る。
【００３１】
ワックスは、炭化水素に基づくワックス、フルオロワックス及び／又はシリコーンであってもよく、植物、鉱物、動物、及び／又は合成起源であってもよい。特にワックスは２５℃超、より良くは４５℃超の融点を有していてもよい。
【００３２】
ワックスは、各組成物（ｉ）及び（ｉｉ）の合計重量に対して、０．１重量％〜５０重量％，よりよくは１重量％〜４０重量％、さらによりよくは５重量％〜３０重量％の範囲の含有量で存在してもよい。
【００３３】
本発明の一つの好ましい実施態様に従うと、組成物（ｉ）中のワックスの含有量は組成物の合計重量に対して１重量％〜４０重量％，好ましくは５重量％〜３０重量％，よりよくは８重量％〜２５重量％の範囲である。
【００３４】
本発明の一つの好ましい実施態様に従うと、組成物（ｉｉ）中のワックスの含有量は組成物の合計重量に対して５重量％〜４０重量％，好ましくは１５重量％〜３０重量％、よりよくは１８重量％〜２５重量％の範囲である。
【００３５】
すなわち、最も特に好ましい態様において、キットは、その合計重量に対して８重量％〜２５重量％のワックスの含有量を有する組成物（ｉ）、及びその合計重量に対して１８重量％〜２５重量％のワックスの含有量を有する組成物（ｉｉ）を含む。
【００３６】
炭化水素をベースとするワックス、例えばビーズワックス、ラノリンワックス又はイボタロウ、米ワックス、カルナウバワックス、キャンデリラワックス、オウリキュリーワックス、エスパルト草ワックス、コルクファイバーワックス、サトウキビワックス、木蝋及びハゼロウ；モンタンワックス、マイクロクリスタリンワックス、パラフィン及びオゾケライト；ポリエチレンワックス、フィッシャートロプシュ合成により得られるワックス及びワックス状コポリマー、及びそれらのエステルが特に使用され得る。
【００３７】
直鎖又は分岐状のＣ８〜Ｃ３２脂肪鎖を含む動物又は植物油の触媒水素化により得られるワックスもまた挙げられ得る。
【００３８】
特に挙げられ得るこれらのワックスの中に、水素化ホホバオイル、異性化ホホバオイル、例えばデザートホエール社により商業参照イソ−ホホバ−５０（商標）で製造又は販売されているトランス異性化され、部分的に水素化されたホホバオイル、水素化サンフラワーオイル、水素化ヒマシ油、水素化ココナッツオイル、水素化ラノリンオイル及びヘテレーン（Ｈｅｔｅｒｅｎｅ）社によりヘスト２Ｔ−４Ｓの名前で販売されているビス（１，１，１−トリメチロールプロパン）テトラステアレート、ヘテレーン社によりヘスト２Ｔ−４Ｂの名前で販売されているビス（１，１，１−トリメチロールプロパン）テトラベヘネートがある。
【００３９】
シリコーンワックス、例えば１６〜４５の炭素原子を含むアルキル又はアルコキシジメチコーン及びフルオロワックスもまた挙げられ得る。
【００４０】
ステアリルアルコールでエステル化されたオリーブオイルの水素化により得られるワックス（名前フィトワックスオリーブ１８  Ｌ５７で販売されている）又はセチルアルコールでエステル化されたヒマシ油の水素化により得られたワックス（ソフィム（Ｓｏｐｈｉｍ）社により名前フィトワックスリシン１６Ｌ６４及び２２Ｌ７３で販売されている）もまた使用され得る。そのようなワックスは仏国特許出願公開第２７９２１９０号に記載されている。
【００４１】
一つの特定の実施態様に従うと、本発明に従う組成物（ｉ）又は（ｉｉ）は、少なくとも１の「粘着性」ワックス、すなわち０．７Ｎ．ｓ以上の粘着性及び３．５ＭＰａ以下の硬度を有するワックスを含み得る。
【００４２】
粘着性のワックスの使用は、睫に施与しやすく、睫によく付着し、滑らかで、均一で、濃くするメイクアップの形成をもたらす化粧料組成物の製造を特に許し得る。
【００４３】
使用される粘着性ワックスは、特に０．７Ｎ．ｓ〜３０Ｎ．ｓ、特に１Ｎ．ｓ以上特に１Ｎ．ｓ〜２０Ｎ．ｓの範囲，特に２Ｎ．ｓ以上，特に２Ｎ．ｓ〜１０Ｎ．ｓの範囲、特に２Ｎ．ｓ〜５Ｎ．ｓの範囲の粘着性を有し得る。
【００４４】
ワックスの粘着性は、Ｒｈｅｏ社によりＴＡ−ＴＸ２ｉ（商標）の商品名の下に販売されるテクスチュロメーター（４５度の角度を形成する円錐形のアクリルポリマーのスピンドルが装備されている）を用いて、時間の関数として、力（圧縮力又は延伸力）の変化を２０℃において測定することにより決定される。
【００４５】
測定プロトコルは以下のとおりである：
【００４６】
ワックスはワックスの融点＋１０℃に等しい温度において溶融される。溶融されたワックスは直径２５ｍｍ、深さ２０ｍｍの容器に注がれる。ワックスの表面が平らでかつ滑らかになるように、ワックスは室温（２５℃）において２４時間再結晶化され、次に粘着度の測定の前に２０℃において少なくとも１時間貯蔵される。
【００４７】
テクスチュロメーターのスピンドルは０．５ｍｍ／秒の速度で移動され、次に２ｍｍの浸透深さまでワックスに浸透する。スピンドルが２ｍｍの深さまで浸透したとき、スピンドルは１秒間（緩和時間に相当する）静かに保たれ、次に０．５ｍｍ／秒の速度で引き抜かれる。
【００４８】
緩和時間の間、力（圧縮力）はそれがゼロになるまで大きく減少し、そして次にスピンドルの引き抜きの間に力（延伸力）が負になり、次に０の値に再び上昇する。粘着度は、力の負の値（延伸力）に対応する曲線の部分に対する時間の関数としての力の曲線の積分に相当する。粘着度の値はＮ．ｓで表される。
【００４９】
使用され得る粘着性ワックスは、一般的に３．５ＭＰａ以下、特に０．０１ＭＰａ〜３．５ＭＰａの範囲、とりわけ０．０５ＭＰａ〜３Ｍｐａ、あるいは０．１ＭＰａ〜２．５ＭＰａの範囲さえ、の硬度を有する。
【００５０】
硬度は前に記載されたプロトコルに従って測定される。
【００５１】
使用され得る粘着性ワックスは、単独で又は混合物としてのＣ２０〜Ｃ４０のアルキル（ヒドロキシステアリルオキシ）ステアレート（２０〜４０の炭素原子を含むアルキル基）、特に式（ＩＩ）のＣ２０〜Ｃ４０のアルキル１２−（１２’−ヒドロキシステアリルオキシ）ステアレート、
【００５２】
【化１】
2007296331.tif 000003
【００５３】
ここで、ｍは１８〜３８の範囲の整数である、又は式（ＩＩ）の化合物の混合物である。
【００５４】
そのようなワックスは特にコスターコイネン社によりケスターワックスＫ８２Ｐ（商標）及びケスターワックスＫ８０Ｐ（商標）の名前で特に販売されている。
【００５５】
上に記載されたワックスは、一般的に４５℃未満の溶融開始温度を有する。
【００５６】
Ｓｔｒａｈｌ＆Ｐｉｔｓｃｈ社により参照ＳＰ１８で販売され、約０．４６ＭＰａの硬度及び約１Ｎ．ｓの粘着値を有するマイクロクリスタリンワックスもまた使用され得る。
【００５７】
ワックスは、ワックスの水性マイクロ分散物の形態であってもよい。表現「ワックスの水性マイクロ分散物」は、該ワックスの粒子のサイズが約１μｍ以下であるワックス粒子の水性分散物を意味する。
【００５８】
ワックスのマイクロ分散物は、コロイド状ワックス粒子の安定な分散物であり、特にＬ．Ｍ．Ｐｒｉｎｃｅ編集「マイクロエマルジョンの理論と操作」、アカデミックプレス（１９７７年）２１〜３２ページに記載されている。
【００５９】
特に、これらのワックスのマイクロ分散物は、界面活性剤、及び場合によって少量の水、の存在下でワックスを溶融させ、続いて攪拌しながら熱湯を徐々に添加することにより得られ得る。油中水型のエマルジョンの中間体の形成が観察され、続いて相の転換が起こり、水中油型のマイクロエマルジョンが最終的に生成される。冷却すると、固体ワックスのコロイド状粒子の安定なマイクロ分散物が得られる。
【００６０】
ワックスのマイクロ分散物はワックス、界面活性剤及び水の混合物を攪拌手段、例えば超音波、高圧ホモジェナイザー又はターボミキサーを使用して攪拌することによってもまた得られ得る。
【００６１】
ワックスのマイクロ分散物の粒子は、好ましくは１μｍ未満の平均サイズ（特に０．０２μｍ〜０．９９μｍの範囲）及び好ましくは０．５μｍ（特に０．０６μｍ〜０．５μｍの範囲）を有する。
【００６２】
これらの粒子は、基本的にワックス又はワックスの混合物からなる。しかし、これらの粒子は少量の油状及び／又はペースト状脂肪性添加物、界面活性剤、及び／又は一般的な脂溶性添加剤及び／又は活性剤を含み得る。
【００６３】
親水性ポリマー
親水性ポリマーは、特に親水性フィルム形成性ポリマー及び親水性ゲル化剤及びそれらの混合物から選択され得、ある親水性フィルム形成性ポリマーは、ゲル化剤としてもまた機能する。
【００６４】
組成物（ｉ）において、親水性ポリマー固体の合計含有量は、組成物の合計重量に対して０．５重量％〜１５重量％、好ましくは１重量％〜１０重量％であり得る。
【００６５】
組成物（ｉｉ）において、親水性ポリマー固体の合計含有量は組成物の合計重量に対して１重量％〜１０重量％であり得る。
【００６６】
組成物の合計重量に対して１重量％〜１０重量％の親水性ポリマーの合計含有量を有する組成物（ｉ）及び組成物の合計重量に対して１重量％〜１０重量％の親水性ポリマーの合計含有量を有する組成物（ｉｉ）を含むキットが本発明の文脈において最も特に好ましい。
【００６７】
Ｉ）フィルム形成性ポリマー
本発明において、用語「フィルム形成性ポリマー」は、自分自身で、又はフィルム形成助剤の存在下、睫に接着する巨視的連続フィルム、好ましくは粘着性フィルム、よりよくは、例えば上記フィルムが非粘着性の表面、例えばテフロン（登録商標）で被覆された若しくはシリコーンで被覆された表面の上に注ぐことにより製造されるときに、フィルムの粘着性及び機械的特性は、フィルムが単離され得、分離して操作され得るようなものであるフィルムを形成できるポリマーを意味する。
【００６８】
。
一般的に、組成物（ｉ）又は（ｉｉ）のそれぞれにおけるフィルム形成性ポリマー固体の含有量は組成物の合計重量に対して０．１重量％〜４０重量％，好ましくは０．５重量％〜３０重量％、よりよくは１重量％〜２０重量％の範囲であり得る。親水性フィルム形成性ポリマーは、水溶性ポリマーであり得るか、又は水性媒体中における分散物であり得る。
【００６９】
本発明の組成物において使用され得るフィルム形成性ポリマーの中で、フリーラジカルタイプ又は重縮合タイプの合成ポリマー及び天然起源のポリマー及びそれらの混合物が挙げられ得る。
【００７０】
挙げられ得る水溶性フィルム形成性ポリマーの例は、
たんぱく質、例えば植物起源のたんぱく質、例えば小麦タンパク又は大豆タンパク；動物起源のたんぱく質、例えばケラチン、例えばケラチン加水分解物、及びスルホンケラチン；
セルロースポリマー、例えばヒドロキシエチルセルロース、ヒドロキシプロピルセルロース、メチルセルロース、エチルヒドロキシエチルセルロース及びカルボキシメチルセルロース、及びそれらの４級化されたセルロース誘導体；
アクリルポリマー又はコポリマー、例えばポリアクリレート又はポリメタクリレート；
ビニルポリマー、例えばポリビニルピロリドン、メチルビニルエーテル及びマレイン酸無水物のコポリマー、ビニルアセテート及びクロトン酸のコポリマー、ビニルピロリドン及びビニルアセテートのコポリマー；ビニルピロリドン及びカプロラクタムのコポリマー；ポリビニルアルコール；
アニオン性、カチオン性、両性又はノニオン性キチン又はキトサンポリマー；
アラビアガム、グアーガム、キサンタン誘導体、及びカラヤガム；
アルギネート及びカラギーナン；
グリコアミノグリカン、及びヒアルロン酸、及びその誘導体；
シェラック樹脂、サンダラックガム、ダマール樹脂、エレミガム、及びコーパル樹脂；
デオキシリボ核酸；
ムコ多糖類例えば硫酸コンドロイチン、
及びそれらの混合物が挙げられ得る。
【００７１】
フィルム形成性ポリマーは、水性相に分散された粒子の形態（一般的にラテックス、又は擬似ラテックスとして公知である）で組成物中に存在してもよい。これらの分散物を製造する技術は当業者に周知である。
【００７２】
使用され得るフィルム形成性ポリマーの水性分散物は、Ａｖｅｃｉａ  Ｎｅｏｒｅｓｉｎｓ社によりネオクリルＸＫ−９０（商標）、ネオクリルＡ−１０７０（商標）、ネオクリルＡ−１０９０（商標）、ネオクリルＢＴ−６２（商標）、ネオクリルＡ−１０７９（商標）及びネオクリルＡ−５２３（商標）の名前で、ダウケミカル社によりダウラテックス４３２（商標）の名前で、又は大東化成工業社によりダイトゾール５０００  ＡＤ（商標）又はダイトゾール５０００  ＳＪ（商標）名前で販売されているアクリル分散物；インターポリマー社によるＳｙｎｔｒａｎ  ５７６０（商標）、ロームアンドハース社によるＡｌｌｉａｎｚ  Ｏｐｔ（商標）、あるいはＡｖｅｃｉａ  Ｎｅｏｒｅｓｉｎｓ社によりＮｅｏｒｅｚ  Ｒ−９８１（商標）及びＮｅｏｒｅｚ  Ｒ−９７４（商標）の名前で販売されている水性ポリウレタン分散物、Ｎｏｖｅｏｎ社によるＡｖａｌｕｒｅ  ＵＲ−４０５（商標）、Ａｖａｌｕｒｅ  ＵＲ−４１０（商標）、Ａｖａｌｕｒｅ  ＵＲ−４２５（商標）、Ａｖａｌｕｒｅ  ＵＲ−４５０（商標）、Ｓａｎｃｕｒｅ  ８７５（商標）、Ａｖａｌｕｒｅ  ＵＲ−４４５(商標)及びＳａｎｃｕｒｅ  ２０６０（商標）、バイエル社によるＩｍｐｒａｎｉｌ  ８５（商標）、ハイドロマー社によるＡｑｕａｍｅｒｅ  Ｈ−１５１１（商標）；イーストマンケミカルプロダクツ社によりイーストマンＡＱ（商標）の名前で販売されているスルホポリエステル、ビニル分散物、例えばＭｅｘｏｍｅｒｅ  ＰＡＭ（商標）、水性ポリビニルアセテート分散物、例えばＮｉｓｓｈｉｎ  Ｃｈｅｍｉｃａｌ社製のＶｉｎｙｂｒａｎ（商標）又はユニオンカーバイド社により販売されている製品、ビニルピロリドンの水性分散物、ジメチルアミノプロピルメタクリルアミド及びラウリルジメチルプロピルメタクリルアミドアンモニウムクロリドターポリマー例えば、ＩＳＰ製のＳｔｙｌｅｚｅ  Ｗ、ポリウレタン／ポリアクリルハイブリッドポリマーの水性分散物、例えばＡｉｒ  Ｐｒｏｄｕｃｔｓ社によりＨｙｂｒｉｄｕｒ（商標）の参照で販売されているもの、又はナショナルスターチ社製のＤｕｒｏｍｅｒ（商標）、及びコア／シェルタイプの分散物：例えばＡｔｏｆｉｎａ社によりＫｙｎａｒ（コア：フルオロ−シェル：アクリル）の参照で販売されているもの、又は米国特許第５１８８８９９号に記載されているもの（コア；シリカーシェル：シリコーン）、及びそれらの混合物を含む。
【００７３】
一つの特定の実施態様に従うと、本発明に従う組成物（ｉ）又は（ｉｉ）は、親水性フィルム形成性ポリマーとして少なくともカチオン性ポリマー及びアニオン性ポリマーの組み合わせを含む。
【００７４】
カチオン性ポリマーは、４級セルロースエーテル誘導体、セルロースと水溶性４級アンモニウムモノマーとのコポリマー、シクロポリマー、カチオン性多糖類、カチオン性シリコーンポリマー、ビニルピロリドン／ジアルキルアミノアルキルアクリレート又はメタクリレートで４級化された若しくは４級化されていないコポリマー、ビニルピロリドン及びビニルイミダゾールの４級ポリマー、及びポリアミノアミド及びそれらの混合物から選択され得る。
【００７５】
好ましくは、カチオン性ポリマーは４級アンモニウム基を含むヒドロキシ（Ｃ１〜Ｃ４）アルキルセルロースである。
【００７６】
アニオン性ポリマーは以下から有利に選択される：
Ａ）  アクリル又はメタクリル酸又はそれらの塩のホモポリマー又はコポリマー、アクリル酸及びアクリルアミドのコポリマー及びそれらの塩、及びポリヒドロキシカルボン酸のナトリウム塩、例えばＨｅｒｃｕｌｅｓ社によりＲｅｔｅｎ（商標）の名前でナトリウム塩の形で販売されているアクリル酸及びアクリルアミドのコポリマー、バンダービルト社によりＤａｒｖａｎ  Ｎｏ．７の名前で販売されているポリメタクリレートナトリウム、及びＨｅｎｋｅｌ社によりＨｙｄａｇｅｎ  Ｆ（商標）の名前で販売されているポリヒドロキシカルボン酸のナトリウム塩；
Ｂ）  アクリル酸又はメタクリル酸とモノエチレン性モノマー、例えばエチレン、スチレン、ビニルエステル、アクリル酸又はメタクリル酸エステルとのコポリマー、場合によってポリアルキレングリコール、例えばポリエチレングリコール上にグラフト化されていてもよい；このタイプのコポリマーは、その鎖中に、場合によってＮ−アルキル化及び／又はヒドロキシアルキル化されていてもよいアクリルアミド単位を含む、アクリル酸及びＣ１〜Ｃ４アルキルメタクリレートのコポリマー、及びビニルピロリドン、アクリル酸、及びＣ１〜Ｃ２０アルキルメタクリレートのターポリマー；
Ｃ）  クロトン酸から誘導されたコポリマー、例えばその鎖の中に、ビニルアセテート又はプロピオネート単位を含み、場合によって他のモノマー例えばアリル又はメタアリルエステルを含んでいてもよいもの、長い炭化水素に基づく鎖、例えば少なくとも５の炭素原子を含む鎖を有する、直鎖又は分岐状の飽和カルボン酸のビニルエーテル又はビニルエステル（これらのポリマーはグラフト化されていてもよい）；
Ｄ）  マレイン酸、フマール酸、又はイタコン酸、又は無水物と、ビニルエステル、ビニルエーテル、ハロゲン化ビニル、フェニルビニル誘導体又はアクリル酸及びそのエステルとから誘導されたポリマー；マレイン酸、シトラコン酸、又はイタコン酸無水物、及び、場合によってアクリルアミド若しくはメタクリルアミド基、α−オレフィン、アクリル若しくはメタクリルエステル、アクリル若しくはメタクリル酸又はビニルピロリドンをその鎖の中に含んでいてもよいアリル又はメタリルエステルとのコポリマー、（無水物官能基はモノエステル化又はモノアミド化されている）、
Ｅ）  カルボキシレート基を含むポリアクリルアミド；
Ｆ）  デオキシリボ核酸；
Ｇ）  少なくとも１のジカルボン酸、少なくとも１のジオール及び少なくとも１の二官能性芳香族モノマーであって、基−ＳＯ３Ｍ（Ｍは水素原子、アンモニウムイオンＮＨ４＋又は金属イオンを表す）を有する芳香族モノマーのコポリマー；
及びそれらの混合物。
【００７７】
より特に好ましいアニオン性ポリマーは、架橋されていないアニオン性ポリマー、例えばメチルビニルエーテル／モノエステル化されたマレイン酸無水物のコポリマー（ＩＳＰ社によりＧａｎｔｒｅｚ  ＥＳ４２５の名前で販売されている）、アクリル酸／エチルアクリレート／Ｎ−ｔｅｒｔ−ブチルアクリルアミドターポリマー（ＢＡＳＦ社によりウルトラホールドストロングの名前で販売されている）、メタクリル酸及びメチルメタクリレートのコポリマー（ロームアンドファーマ社によりＥｕｄｒａｇｉｔ  Ｌの名前で販売されている）、酢酸ビニル／ｔｅｒｔ−ブチル安息香酸ビニル／クロトン酸のターポリマー及びクロトン酸／酢酸ビニル／ネオドデカン酸ビニルターポリマー（Ｎａｔｉｏｎａｌ  Ｓｔａｒｃｈ社によりＲｅｓｉｎ  ２８−２９−３０の名前で販売されている）、メタクリル酸及びエチルアクリレートのコポリマー（ＢＡＳＦ社によりＬｕｖｉｍｅｒ  ＭＡＥＸ又はＭＡＥの名前で販売されている）、ビニルピロリドン／アクリル酸／メタクリル酸ラウリルのターポリマー（ＩＳＰ社によりアクリドンＬＭの名前で販売されている）、及び例えばＶｅｒｓｉｃｏｌ  Ｅ  ５の名前で販売されているアクリル若しくはメタクリル酸のホモポリマー、又はバンダービルト社によりＤａｒｖａｎ  ７の名前で販売されている（ポリ（メタクリレートナトリウム）、及びそれらの混合物から選択される。
【００７８】
アニオン性ポリマーは好ましくはポリメタクリル酸ナトリウムである。
【００７９】
本発明に従う組成物（ｉ）又は（ｉｉ）のそれぞれは、フィルム形成性ポリマーによるフィルムの形成を促進する可塑剤を含む。そのような可塑剤は所望される機能を達成することのできるとして当業者に公知の任意の化合物から選択され得る。
【００８０】
ＩＩ）親水性ゲル化剤
本発明に従う組成物において使用され得る親水性ゲル化剤は、以下から選択され得る：
アクリル又はメタクリル酸ホモポリマー若しくはコポリマー又はその塩若しくはエステル、特にＡｌｌｉｅｄ  Ｃｏｌｌｏｉｄ社によりＶｅｒｓｉｃｏｌ  Ｆ（商標）又は  Ｖｅｒｓｉｃｏｌ  Ｋの名前で販売されている製品、チバガイギー社によるウルトラホールド８（商標）、及びＳｙｎｔｈａｌｅｎ  Ｋタイプのポリアクリル酸、
アクリル酸及びアクリルアミドのコポリマー（そのナトリウム塩の形態でＨｅｒｃｕｌｅｓ社によりＲｅｔｅｎ（商標）の名前で販売されている）及びポリヒドロキシカルボン酸のナトリウム塩（ヘンケル社によりＨｙｄａｇｅｎ  Ｆ（商標）の名前で販売されている）、
Ｐｅｍｕｌｅｎタイプのポリアクリル酸／アルキルアクリレートのコポリマー、
Ｃｌａｒｉａｎｔ社により販売されているＡＭＰＳ（部分的に水性アンモニアで中和され、高度に架橋されたポリアクリルアミドメチルプロパンスルホン酸）、
セピック社により販売されているＳｅｐｉｇｅｌ（商標）又はＳｉｍｕｌｇｅｌ（商標）タイプのＡＭＰＳ／アクリルアミドのコポリマー、及び
ＡＭＰＳ／ポリオキシエチレン化されたアルキルメタクリレートのコポリマー（架橋されている又は架橋されていない）、及びそれらの混合物。
【００８１】
上述されたある水溶性のフィルム形成性ポリマーは、水溶性ゲル化剤としてもまた作用し得る：
会合性ポリウレタン、例えばＳｅｒｖｏ  Ｄｅｌｄｅｎ製のポリマーＣ１６−ＯＥ１２０−Ｃ１６（ＳＥＲ  ＡＤ  ＦＸ１１００の名前で販売されており、ウレタン官能基を含み、１３００の重量平均分子量を有する）、ＯＥは、オキシエチレン単位である、Ｒｈｅｏｘ社により販売されているウレア官能基を含むＲｈｅｏｌａｔｅ  ２０５又はＲｈｅｏｌａｔｅ  ２０８又は２０４（これらのポリマーは純粋な形で販売されている）又はロームアンドハース社製ＤＷ  １２０６Ｂ、これはＣ２０のアルキル鎖及びウレタン結合を有し、水中において２０％の活性物質において販売されている。これらの会合性ポリウレタンの特に水又は水性アルコール媒体中の溶液又は分散物もまた使用され得る。挙げられ得るそのようなポリマーの例は、Ｓｅｒｖｏ  Ｄｅｌｄｅｎ社製のＳＥＲ  ＡＤ  ＦＸ１０１０，ＳＥＲ  ＡＤ  ＦＸ  １０３５及びＳＥＲ  ＡＤ  １０７０、及びＲｈｅｏｘ社により販売されているＲｈｅｏｌａｔｅ  ２５５，Ｒｈｅｏｌａｔｅ  ２７８及びＲｈｅｏｌａｔｅ  ２４４を含む。ロームアンドハース社製の製品ＤＷ  １１２０６Ｆ及びＤＷ  １２０６Ｊ，及びＡｃｒｙｓｏｌ  ＲＭ  １８４又はＡｃｒｙｓｏｌ  ４４又はＢｏｒｃｈｅｒｓ社製のＢｏｒｃｈｉｇｅｌ  ＬＷ  ４４もまた使用され得る。
及びそれらの混合物。
【００８２】
親水性ゲル化剤は、組成物の合計重量に対して０．０５重量％〜４０重量％，好ましくは０．５重量％〜２０重量％、よりよくは１重量％〜１５重量％の範囲の含有量で本発明に従う組成物（ｉ）及び（ｉｉ）のそれぞれに存在し得る。
【００８３】
追加のフィルム形成性ポリマー
本発明に従う組成物（ｉ）又は（ｉｉ）のそれぞれは、非水性の溶媒相に可溶であり得る、又は非水性溶媒相に分散され得る少なくとも１の追加の親油性ポリマーをもまた含み得る。
【００８４】
一つの特定の実施態様に従うと、組成物は追加のフィルム形成性ポリマーとして特定のアクリルターポリマーを含む。このターポリマーは長くする効果を得、睫に施与されたときに、物質の滑らかで均一な堆積を許するように、施与の間に睫に良好な接着、特に睫の末端に物質の堆積を与えるという利点を有する。
【００８５】
一つの特定の実施態様に従うと、キットはこのターポリマーを含む組成物（ｉ）及びそのようなターポリマーなしの組成物（ｉｉ）を含む。
【００８６】
そのようなタイプのポリマー及びそれを含むマスカラはより特に公報欧州特許出願公開第１６４７２６８号に記載されている。
【００８７】
該公報の教示は、本特許出願に参照することにより取り込まれる。
【００８８】
しかし、特定のターポリマーは、以下に詳細に説明される。
【００８９】
ターポリマーは、
（メタ）アクリル酸と２〜２０の炭素原子を含むモノアルコールとの反応から得られるエステルから選択された少なくとも１のモノマーＡ、
（メタ）アクリル酸と１〜１０の炭素原子を含むモノアルコールとの反応から得られるエステルから選択された少なくとも１のモノマーＢ、
Ｎ−ビニルラクタムから選択された少なくとも１のモノマーＣ
の共重合化から得られるポリマーである。
【００９０】
モノマーＡ
モノマーＡは（メタ）アクリル酸と２〜２０の炭素原子を含むモノアルコールとの反応から得られるエステルから選択される。
【００９１】
一つの実施態様に従うと、コポリマーは、メタクリル酸と５〜２０の炭素原子、好ましくは７〜１８の炭素原子、よりよくは１０〜１８の炭素原子を含むモノアルコールとの反応から得られる少なくとも１のモノマーＡを含む。
【００９２】
特に、モノアルコールは、３−ヘプタノール、１−オクタノール、２−オクタノール、イソオクチルアルコール、２−エチル−１−ヘキサノール、１−デカノール、１−ドデカノール、１−トリデカノール、１−テトラデカノール及び１−オクタデカノール及びそれらの混合物から選択され得る。
【００９３】
本発明に従うポリマーは、アクリル酸と２〜１５の炭素原子、好ましくは４〜１４の炭素原子を含むモノアルコールとの反応から得られる少なくとも１のモノマーＡをもまた含み得る。
【００９４】
特にＣ２〜Ｃ１５のモノアルコールは、エタノール，１−ブタノール，２−ブタノール，１−ペンタノール，２−ペンタノール，３−ペンタノール，２−メチル−１−ブタノール，１−ヘキサノール，２−ヘキサノール，２−メチル−１−ペンタノール，３−メチル−１−ペンタノール，２−エチル−１−ブタノール，３，５，５−トリメチル−１−ヘキサノール，３−ヘプタノール，１−オクタノール，２−オクタノール，イソオクチルアルコール，２−エチル−１−ヘキサノール，１−デカノール，１−ドデカノール，１−トリデカノール及び１−テトラデカノール，及びそれらの混合物から選択され得る。
【００９５】
有利に、モノマーＡはｎ−ブチルアクリレート，イソオクチルアクリレート及びラウリルメタクリレート（メタクリル酸と１−ドデカノールとの反応から誘導される），及びそれらの混合物から選択される。
【００９６】
有利に、モノマーＡは、ポリマーのモノマーの合計数に対して１５重量％〜８０重量％、よりよくは４０重量％〜６０重量％の範囲の数的な割合で存在する。
【００９７】
モノマーＢ
モノマーＢは、メタクリル酸と、１〜１０の炭素原子，好ましくは１〜６、よりよくは１〜４の炭素原子を含むモノアルコールとの反応から誘導されたエステルから選択される。
【００９８】
特にモノアルコールはメタノール，エタノール，１−プロパノール，２−プロパノール，１−ブタノール，２−ブタノール，１−ペンタノール，２−ペンタノール及び３−ペンタノール，及びそれらの混合物から選択され得る。
【００９９】
好ましくは、モノマーＢは、メチルメタクリレート及びｎ−ブチルメタクリレート，及びそれらの混合物から選択される。
【０１００】
有利に、モノマーＢはポリマーのモノマーの合計数に対して２０重量％〜７０重量％、よりよくは２５重量％〜５０重量％の範囲の数的割合で存在する。
【０１０１】
モノマーＣ
モノマーＣは、有利にＮ−ビニルラクタム（Ｎ−置換ラクタム誘導体）、例えば米国特許第３９０７７２０号に記載されたもの、特に以下の式を有するＮ−ビニルラクタムから選択される。
【０１０２】
【化２】
2007296331.tif 000004
【０１０３】
ここで
Ｒ１及びＲ２は独立して水素原子、Ｃ１〜Ｃ５アルキル基例えばメチル，エチル又はプロピル、又はアリール基を表し、
【０１０４】
【化２】
2007296331.tif 000005
【０１０５】
そしてｎ及びｎ１は０〜５の範囲である，但しｎ及びｎ１は同時にゼロではない。
【０１０６】
好ましくはＲ１及びＲ２は、独立して水素原子、又はＣ１〜Ｃ５アルキル基、例えば、メチル，エチル又はプロピルを表し、
【０１０７】
【化３】
2007296331.tif 000006
【０１０８】
モノマーＣとして使用され得るＮ−ビニルラクタムとして，以下のラクタムのＮ−ビニルピロリドン、及びＮ−ビニル−置換された誘導体が挙げられ得る：３，３−ジメチル−１−ピロリドン，４，４−ジメチル−２−ピロリドン，３，４−ジメチル−２−ピロリドン，３−エチル−２−ピロリドン及び３，５−ジメチル−２−ピロリドン。好ましくはモノマーＣはＮ−ビニルピロリドンである。
【０１０９】
有利にモノマーＣは、ポリマーのモノマーの合計数に対して１重量％〜１５重量％、よりよくは５重量％〜１５重量％の範囲の数的割合で存在する。
【０１１０】
有利にポリマーは、有機溶媒中の溶液又は分散物中にあり、該有機溶媒は好ましくは本発明に従う組成物（ｉ）の有機溶媒相の「第一有機溶媒」である。
【０１１１】
本発明に従う組成物のコポリマーは、特にモノマーが溶解している溶媒中でのフリーラジカル重合化という慣用の方法で製造され得る。
【０１１２】
そのようなコポリマー及びそれらを含む抗菌性組成物が特に米国特許第４５８４１９２号に記載されている。
【０１１３】
追加のフィルム形成性ポリマーは、組成物（ｉ）又は（ｉｉ）の合計重量に対して固体（又は活性物質）の０．０１重量％〜２０重量％，好ましくは０．０５重量％〜１５重量％、よりよくは０．０５重量％〜１０重量％であり得る。
【０１１４】
水性相
本発明に従う組成物（ｉ）又は（ｉｉ）の少なくとも１、好ましくは各組成物（ｉ）及び（ｉｉ）は、水及び／又は少なくとも１の水溶性溶媒を含む連続的水性相を含む。
【０１１５】
連続的水性相は、組成物の連続相を形成し得る水及び／又は少なくとも１の水溶性溶媒を含む。
【０１１６】
本発明において、用語「水溶性溶媒」は、室温において液状であり、水と混和性である化合物を意味する（２５℃及び大気圧において５０重量％超の水における混和性）。
【０１１７】
本発明に従う組成物において使用され得る水溶性溶媒は、揮発性であってもよい。
【０１１８】
本発明に従う組成物（ｉ）又は（ｉｉ）において使用され得る水溶性溶媒の中で、１〜５の炭素原子を含む低級モノアルコール、例えばエタノール、イソプロパノール、２〜８の炭素原子を有するグリコール、例えばエチレングリコール、プロピレングリコール、１，３−ブチレングリコール及びジプロピレングリコール、Ｃ３及びＣ４ケトン及びＣ２〜Ｃ４アルデヒドが挙げられ得る。
【０１１９】
水性相（水及び水と混和する任意的な有機溶媒）は該組成物の合計重量に関して１〜９５重量％、好ましくは３〜８０重量％、優先的に５〜６０重量％の範囲の含有量において、組成物（ｉ）及び（ｉｉ）のそれぞれに存在することができる。
【０１２０】
組成物（ｉ）及び（ｉｉ）に含まれる他の成分
乳化システム
本発明に従う組成物（ｉ）又は（ｉｉ）のそれぞれは、組成物の合計重量に対して特に０．１重量％〜３０重量％，よりよくは１重量％〜１５重量％、よりよくは２重量％〜１０重量％の範囲の割合で存在する乳化界面活性剤を含み得る。
【０１２１】
本発明に従うと、水中油型エマルジョンを得るために適切に選択される乳化剤が一般的に使用される。特に２５℃においてグリフィンの意味において８以上のＨＬＢ（疎水性−親水性−バランス）を有する乳化剤が使用される。
【０１２２】
グリフィンによるＨＬＢ値は、Ｊ．Ｓｏｃ．Ｃｏｓｍ．Ｃｈｅｍ．，１９５４年（第５巻）、２４９〜２５６ページに記載されている。
【０１２３】
これらの界面活性剤はノニオン性、アニオン性、カチオン性、及び両性界面活性剤又は乳化界面活性剤から選択され得る。界面活性剤の性質と（乳化）機能の定義については、書類「化学技術の百科事典、カークオスマー（Ｅｎｃｙｃｌｏｐｅｄｉａ  ｏｆ  Ｃｈｅｍｉｃａｌ  Ｔｅｃｈｎｏｌｏｇｙ，Ｋｉｒｋ−Ｏｔｈｍｅｒ）」第２２巻、３３３〜４３２ページ、第３版、１９７９年、ワイリーを参照されたい。特にアニオン性、両性、及びノニオン性界面活性剤の場合、この参考文献の特に３４７〜３７７ページを参照されたい。
【０１２４】
本発明に従う組成物中で好ましく使用される界面活性剤は以下から選択される。
ａ）単独で又は混合物として使用される、２５℃において８以上のＨＬＢを有するノニオン性界面活性剤；以下のものが特に挙げられ得る：
グリセロールのオキシエチレン化及び／又はオキシプロピレン化エーテル（１〜１５０のオキシエチレン及び／又はオキシプロピレン基を含み得る）；
脂肪族アルコール（特にＣ８〜Ｃ２４、好ましくはＣ１２〜Ｃ１８アルコール）のオキシエチレン化及び／又はオキシプロピレン化されたエーテル（１〜１５０のオキシエチレン及び／又はオキシプロピレン基を含み得る）、例えば３０のオキシエチレン基を含むオキシエチレン化セタリールアルコールエーテル（ＣＴＦＡ名「Ｃｅｔｅａｒｅｔｈ−３０」）及び７のオキシエチレン基を含むＣ１２〜Ｃ１５の脂肪族アルコールの混合物のオキシエチレン化エーテル（シェルケミカルズによりＮｅｏｄｏｌ  ２５−７（商標）の名前で販売されているＣＴＦＡ名「Ｃ１２〜１５のＰａｒｅｔｈ−７」）；
ポリエチレングリコール（１〜１５０のエチレングリコールユニットを含み得る）の脂肪酸エステル（特にＣ８〜Ｃ２４酸及び好ましくはＣ１６〜Ｃ２２酸）、例えばＩＣＩ  ユニケマ社によりＭｙｒｊ  ５２Ｐ（商標）の名前で販売されているＰＥＧ−５０ステアレート及びＰＥＧ−４０モノステアレート；
オキシエチレン化及び／又はオキシプロピレン化されたグリセリルエーテル（１〜１５０のオキシエチレン及び／又はオキシプロピレン基を含み得る）の脂肪酸エステル（特にＣ８〜Ｃ２４、好ましくはＣ１６〜Ｃ２２酸）、例えば、セピック社によりＳｉｍｕｌｓｏｌ  ２２０  ＴＭ（商標）の名前で販売されているＰＥＧ−２００グリセリルモノステアレート；３０のエチレンオキシド基でポリエトキシ化されたグリセリルステアレート、例えばゴールドシュミット社により販売されている製品Ｔａｇａｔ  Ｓ（商標）、３０のエチレンオキシド基でポリエトキシ化されたグリセリルオレエート、例えばゴールドシュミット社により販売されている製品Ｔａｇａｔ  Ｏ（商標）、３０のエチレンオキシド基でポリエトキシ化されたグリセリルココエート、例えばＳｈｅｒｅｘ社により販売されている製品Ｖａｒｉｏｎｉｃ  ＬＩ  １３（商標）、３０のエチレンオキシド基でポリエトキシ化されたグリセリルイソステアレート、例えばゴールドシュミット社により販売されている製品Ｔａｇａｔ  Ｌ（商標）、及び３０のエチレンオキシド基でポリエトキシ化されたグリセリルラウレート、例えばゴールドシュミット社製の製品Ｔａｇａｔ  Ｉ（商標）；
オキシエチレン化及び／又はオキシプロピレン化されたソルビトールエーテル（１〜１５０のオキシエチレン及び／又はオキシプロピレン基を含み得る）の脂肪酸エステル（特にＣ８〜Ｃ２４、好ましくはＣ１６〜Ｃ２２酸）、例えばユニケマ社によりＴｗｅｅｎ  ６０（商標）の名前で販売されているポリソルベート６０、
ジメチコンコポリオール、例えばダウコーニング社によりＱ２−５２２０（商標）の名前で販売されているもの；
ジメチコンコポリオールベンゾエート（Ｆｉｎｔｅｘ社によるＦｉｎｓｏｌｖ  ＳＬＢ  １０１（商標）及び２０１（商標））；
プロピレンオキシド及びエチレンオキシドのコポリマー、ＥＯ／ＰＯ重縮合体としてもまた公知である；
及びそれらの混合物。
【０１２５】
ＥＯ／ＰＯ重縮合体は、より特に、ポリエチレングリコール及びポリプロピレングリコールブロックからなるコポリマーであり、例えばポリエチレングリコール／ポリプロピレングリコール／ポリエチレングリコールのトリブロック重縮合体である。これらのトリブロック重縮合体は、例えば以下の化学構造を有する：
2007296331.tif 000007
ここでａは２〜１２０であり、ｂは１〜１００である。
【０１２６】
ＥＯ／ＰＯ重縮合体は好ましくは１０００〜１５０００、さらによりよく２０００〜１３０００の範囲の重量平均分子量を有する。有利には、該ＥＯ／ＰＯ重縮合体は、２０℃以上、好ましくは、６０℃以上の、１０ｇ／蒸留水１Ｌにおける曇り点を有する。曇り点は、ＩＳＯ標準１０６５に従って測定される。本発明に従って使用され得るＥＯ／ＰＯ重縮合体としてＩＣＩ社によりＳｙｎｐｅｒｏｎｉｃ（商標）、例えばＳｙｎｐｅｒｏｎｉｃ  ＰＥ／Ｌ４４（商標）及びＳｙｎｐｅｒｏｎｉｃ  ＰＥ／Ｅ１２７（商標）の名前で販売されているポリエチレングリコール／ポリプロピレングリコール／ポリエチレングリコールトリブロック重縮合体が挙げられ得る。
【０１２７】
ｂ）２５℃において８未満のＨＬＢを有するノニオン性界面活性剤（場合によって２５℃において８超のＨＬＢを有する１以上のノニオン性界面活性剤、例えば上述されたもの、と組み合わせられてもよい）、例えば
糖類のエステル及びエーテル、例えばスクロースステアレート、スクロースココエート、ソルビタンステアレート及びそれらの混合物、例えばＩＣＩ社により販売されているＡｒｌａｔｏｎｅ  ２１２１（商標）；
ポリオール、特にグリセロール、又はソルビトールの脂肪酸エステル（特にＣ８〜Ｃ２４及び好ましくはＣ１６〜Ｃ２２の酸）、例えばグリセリルステアレート、例えばゴールドシュミット社によりＴｅｇｉｎ  Ｍ（商標）の名前で販売されているグリセリルステアレート、グリセリルラウレート、例えばＨｕｌｓ社によりＩｍｗｉｔｏｒ  ３１２（商標）の名前で販売されている製品、ポリグリセリル−２ステアレート、ソルビタントリステアレート又はグリセリルリシノレート；
ダウコーニング社によりＱ２−３２２５Ｃ（商標）の名前で販売されているシクロメチコン／ジメチコンコポリオールの混合物；
【０１２８】
ｃ）アニオン性界面活性剤、例えば
Ｃ１６〜Ｃ３０脂肪酸の塩，特にアミン、例えばトリエタノールアミンステアレート及び／又は２−アミノ−２−メチルプロパン−１，３−ジオールステアレートから誘導されるもの；
ポリオキシエチレン化された脂肪酸塩、特にアミン又はアルカリ金属塩から誘導されたもの、及びそれらの混合物；
リン酸エステル及びその塩、例えば「オレス−１０リン酸ＤＥＡ」（Ｃｒｏｄａ社製のＣｒｏｄａｆｏｓ  Ｎ  １０Ｎ（商標））又はリン酸モノセチルモノカリウム（Ｇｉｖａｕｄａｎ製Ａｍｐｈｉｓｏｌ  Ｋ）；
スルホスクシネート例えば「ＰＥＧ−５クエン酸ラウリルスルホコハク酸２ナトリウム」及び「リシノールアミドＭＥＡスルホコハク酸２ナトリウム」；
アルキルエーテルサルフェート、例えばラウリルエーテル硫酸ナトリウム、
イセチオネート、
アシルグルタメート例えば「水添された獣脂グルタメート２ナトリウム」（味の素社により販売されているアミソフトＨＳ−２１  Ｒ（商標））、及びそれらの混合物。
【０１２９】
トリエタノールアミンステアレートが本発明における使用のために最も適する。このアミンは、一般的にステアリン酸とトリエタノールアミンを単純に混合することにより得られる。
【０１３０】
本発明に従う組成物（ｉ）及び（ｉｉ）のそれぞれは１以上の両性界面活性剤、例えばＮ−アシルアミノ酸、例えばＮ−アルキルアミノアセテート及びココアンホジアセテート二ナトリウム、及びアミンオキサイド、例えばステアラミンオキサイド、又はシリコーン界面活性剤、例えばジメチコーンコポリオールホスフェート、例えばフェニックスケミカル社によりＰｅｃｏｓｉｌ  ＰＳ  １００（商標）の名前で販売されている製品をもまた含む。
【０１３１】
オイル
本発明に従う組成物（ｉ）及び（ｉｉ）のそれぞれは、１以上のオイル又は有機溶媒を含み得る。
【０１３２】
用語「オイル又は有機溶媒」は、室温及び大気圧において液状である非水性物質を意味する。オイルは揮発性又は非揮発性であり得る。
【０１３３】
本発明の目的のために、用語「揮発性オイル又は有機溶媒」は、皮膚又は睫と接触したとき、環境温度及び大気圧において１時間未満内に蒸発できる任意の非水性媒体を意味する。揮発性有機溶媒及び本発明の揮発性オイルは、室温において液状であり、環境温度及び大気圧においてゼロではない蒸気圧、特に０．１３Ｐａ〜４００００Ｐａ（１０−３〜３００ｍｍＨｇ）、特に１．３Ｐａ〜１３０００Ｐａ（０．０１〜１００ｍｍＨｇ）、より特に１．３Ｐａ〜１３００Ｐａ（０．０１〜１０ｍｍＨｇ）の範囲の蒸気圧を有する揮発性の有機溶媒及び化粧料オイルである。用語「非揮発性オイル」は、室温及び大気圧において皮膚又はケラチン繊維上に少なくとも数時間残り、特に１０−３ ｍｍＨｇ（０．１３Ｐａ）未満の蒸気圧を有するオイルを意味する。
【０１３４】
オイルは組成物の合計重量に対して１重量％〜３０重量％、好ましくは１重量％〜１５重量％の範囲の含有量で存在し得る。組成物（ｉ）又は（ｉｉ）は、揮発性オイル又は非揮発性オイル、及びそれらの混合物を含み得る。
【０１３５】
揮発性オイル（又は有機溶媒）は、炭化水素をベースとするオイル、シリコーンオイル、又はフルオロオイル、又はそれらの混合物であり得る。
【０１３６】
用語「炭化水素をベースとするオイル」とは主に水素及び炭素原子を含み酸素、窒素、硫黄及び／又はリン原子を含んでいてもよいオイルを意味する。揮発性の炭化水素をベースとするオイルは、８〜１６の炭素原子を含む炭化水素をベースとするオイル、特に分岐状のＣ８〜Ｃ１６アルカン、例えば石油起源のＣ８〜Ｃ１６のイソアルカン（イソパラフィンとしてもまた公知である）、例えばイソドデカン（２，２，４，４，６−ペンタメチルヘプタンとしてもまた公知である）、イソデカン、イソヘキサデカン、そして例えば商標名Ｉｓｏｐａｒ（商標）又はＰｅｒｍｅｔhｙｌｓ（商標）の下で販売されているオイル、分岐状のＣ８〜Ｃ１６エステル、及びネオペンタン酸イソヘキシル、及びそれらの混合物から選択され得る。他の揮発性の炭化水素をベースとするオイル、例えば石油の留出物、特にシェル社によりＳｈｅｌｌ  Ｓｏｌｔ（商標）の名前の下に販売されているものもまた使用され得る。
【０１３７】
また使用され得る揮発性オイルは、揮発性のシリコーン、例えば揮発性の直鎖又は環状シリコーンオイル、特に≦６センチストーク（６×１０−６ｍ２／ｓ）の粘度を有し、特に３〜６の珪素原子を含むもの、これらのシリコーンは任意的に１〜２の炭素原子を含むアルキル又はアルコキシ基を含んでいてもよい、を含む。本発明において使用され得る揮発性シリコーンオイルとして特にオクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、及びドデカメチルペンタシロキサン、及びそれらの混合物を含む。
【０１３８】
揮発性フルオロ溶媒、例えばノナフルオロメトキシブタン又はパーフルオロメチルシクロペンタンもまた使用され得る。
【０１３９】
本発明に従う組成物（ｉ）及び（ｉｉ）のそれぞれは、少なくとも１の非揮発性のオイル又は有機溶媒をもまた含み得、それらは特に非揮発性の炭化水素をベースとするオイル及び／又はシリコーンオイル及び／又はフルオロオイルから選択され得る。
【０１４０】
特に挙げられ得る非揮発性の炭化水素をベースとするオイルは、
植物起源の炭化水素をベースとするオイル、例えばグリセロールの脂肪酸エステルからなるトリグリセリド、その脂肪酸はＣ４〜Ｃ２４の変化する鎖の長さを有し得、これらの鎖は直鎖又は分岐状であってもよく、そして飽和又は不飽和であってもよい；これらのオイルは特に小麦胚芽油、ヒマワリ油、グレープシード油、ゴマ種油、トウモロコシ油、アプリコット油、ひまし油、シア油、アボガド油、オリーブ油、大豆油、スイートアーモンド油、パーム油、菜種油、綿実油、ヘーゼルナッツ油、マカデミア油、ホホバ油、アルファルファ油、ケシの実油、かぼちゃ油、胡麻種油、髄油（ｍａｒｒｏｗ  ｏｉｌ）、菜種油、黒スグリ油、月見草油、キビ油、大麦油、キノア油、ライ麦油、サフラワー油、ククイナッツ油、パッションフラワー油、又はジャコウバラ油；又はカプリル／カプリン酸トリグリセリド、例えばＳｔｅａｒｉｎｅｒｉｅｓ  Ｄｕｂｏｉｓ社により販売されているもの、またダイナミットノーベル社によりＭｉｇｌｙｏｌ  ８１０（商標）、８１２（商標）、及び８１８（商標）の名前の下に販売されているものである；
１０〜４０の炭素原子を含む合成エーテル；
鉱物又は合成起源の直鎖又は分岐状の炭化水素、例えば石油ゼリー、ポリデセン、水素化されたポリイソブテン例えばパーレアム、及びスクワラン、及びそれらの混合物、
合成エステル、例えば式Ｒ１ＣＯＯＲ２のオイル（Ｒ１は１〜４０の炭素原子を含む直鎖又は分岐の脂肪酸残基を表し、Ｒ２は特に１〜４０の炭素原子を含む分岐状の炭化水素をベースとする鎖を表す、ただしＲ１＋Ｒ２≧１０である）、例えばプルセリンオイル（オクタン酸セトステアリル）、ミリスチン酸イソプロピル、パルミチン酸イソプロピル、安息香酸のＣ１２〜Ｃ１５のアルキルエステル、ラウリル酸ヘキシル、アジピン酸ジイソプロピル、イソノナン酸イソノニル、パルミチン酸２−エチルヘキシル、イソステアリン酸イソステアリル、オクタン酸、デカン酸、又はリシノール酸のアルキル又はポリアルキルエステル、例えばジオクタン酸プロピレングリコール、水素化されたエステル、例えば乳酸イソステアリル又はリンゴ酸ジイソステアリル及びペンタエリスリトールエステル；
１２〜２６の炭素原子を含む分岐状及び／又は不飽和の炭素をベースとする鎖を含む、室温において液体であるところの脂肪族アルコール、例えばオクチルドデカノール、イソステアリルアルコール、オレイルアルコール、２−ヘキシルデカノール、２−ブチルオクタノール又は２−ウンデシルペンタデカノール；
高級脂肪酸例えばオレイン酸、リノール酸、又はリノレン酸；
及びそれらの混合物、
を含む。
【０１４１】
本発明の組成物（ｉ）又は（ｉｉ）のいずれかにおいて使用され得るところの非揮発性シリコーンオイルは、非揮発性のポリジメチルシロキサン（ＰＤＭＳ），ペンダント状である及び／又はシリコーン鎖の末端にあるアルキル又はアルコキシ基を含むポリジメチルシロキサン（該基はそれぞれ２〜２４の炭素原子を含む）、フェニルシリコーン、例えばフェニルトリメチコーン、フェニルジメチコーン、フェニルトリメチルシロキシジフェニルシロキサン、ジフェニルジメチコーン、ジフェニルメチルジフェニルトリシロキサン及び２−フェニルエチルトリメチルシロキシシリケートであり得る。
【０１４２】
本発明に従う組成物（ｉ）又は（ｉｉ）のいずれかにおいて使用され得るフルオロオイルは、特にフルオロシリコーンオイル、フルオロポリエーテル又はフルオロシリコーンであり得、欧州特許出願公開第８４７７５２号に記載されている通りである。
【０１４３】
本発明に従う組成物（ｉ）又は（ｉｉ）のいずれかにおける非揮発性オイル又は有機溶媒の含有量は、組成物の合計重量に対して０．０１重量％〜３０重量％，特に０．１重量％〜２５重量％、よりよくは０．１重量％〜２０重量％の範囲であり得る。
【０１４４】
染料
本発明に従う組成物（ｉ）又は（ｉｉ）のそれぞれは、少なくとも１の染料、例えば粉体染料、脂溶性染料、及び水溶性染料をもまた含み得る。
【０１４５】
一つの実施態様に従うと、組成物（ｉ）及び（ｉｉ）は同じ色調を有する。
別の実施態様に従うと、組成物（ｉ）及び（ｉｉ）は、得られるメイクアップ効果を強化するために、異なる色調を有する。
【０１４６】
例えば、明るい色の組成物を睫の房全体又は睫の房の内側部分に、そして睫の房の外側部分に濃い色の組成物を施与することが可能である。
【０１４７】
粉体染料は、顔料及び真珠層から選択され得る。
【０１４８】
顔料は、白色又は着色の、鉱物の及び／又は有機の、及び被覆された又は被覆されていないものであり得る。挙げられうる鉱物顔料の中には、二酸化チタン、場合によって表面処理されていてもよい、酸化ジルコニウム、酸化亜鉛、又は酸化セリウム、及びまた酸化鉄、又は酸化クロム、マンガン紫、群青、クロム水和物、及び第二鉄青がある。挙げられ得る有機顔料の中に、カーボンブラック、Ｄ＆Ｃタイプの顔料、コチニールカーミンまたはバリウム、ストロンチウム、カルシウム又はアルミニウムとベースとするレーキがある。
【０１４９】
真珠光沢剤は、白色真珠光沢顔料、例えばオキシ塩化チタン又はビスマスで被覆されたマイカ、着色された真珠光沢顔料、例えば酸化鉄で被覆されたチタンマイカ、特に第二鉄青又は酸化クロムで被覆されたチタンマイカ、上述のタイプの有機顔料で被覆されたチタンマイカ、及びオキシ塩化ビスマスに基づく真珠光沢顔料から選ばれることができる。
【０１５０】
脂溶性の染料は、例えばスーダンレッド、Ｄ＆Ｃレッド１７、Ｄ＆Ｃグリーン６、β−カロチン、大豆油、スーダンブラウン、Ｄ＆Ｃイエロー１１、Ｄ＆Ｃバイオレット２、Ｄ＆Ｃオレンジ５及びキノリンイエロー、及びアナートである。
【０１５１】
これらの染料は、組成物（ｉ）及び（ｉｉ）それぞれの総重量に対して、０．０１〜３０重量％の含有量で存在することができる。
【０１５２】
フィラー
本発明の組成物（ｉ）又は（ｉｉ）のそれぞれは少なくとも１のフィラーをもまた含み得る。
【０１５３】
フィラーは、当業者に周知であり、化粧料組成物において一般的に使用されるものから選択されることができる。フィラーは鉱物性又は有機性、ラメラ状又は球状であることができる。タルク、マイカ、シリカ、カオリン、ポリアミド粉末、例えばＯｒｇａｓｏｌ（商標）の名前でアトケム社により販売されているナイロン（商標）、ポリ−β−アラニン粉末及びポリエチレン粉末、テトラフルオロエチレンポリマーの粉末、例えばＴｅｆｌｏｎ（商標）、ラウロイルリジン、澱粉、窒化ホウ素、膨張されたポリマー状の中空微小球、例えば塩化ポリビニリデン／アクリロニトリルの微小球、例えばノーベルインダストリーズ社によりＥｘｐａｎｃｅｌ（商標）の名前で販売されている製品、アクリル粉末、例えばダウコーニング社によりＰｏｌｙｔｒａｐ（商標）の名前で販売されているもの、ポリメチルメタクリレート粒子及びシリコーン樹脂ミクロビーズ（例えば東芝製のＴｏｓｐｅａｒｌｓ（商標））、沈殿した炭酸カルシウム、炭酸マグネシウム、及び炭酸水素マグネシウム、ハイドロキシアパタイト、中空シリカ微小球（Ｍａｐｒｅｃｏｓ製シリカビーズ（商標））、ガラス又はセラミックのマイクロカプセル、８〜２２の炭素原子、特に１２〜１８の炭素原子を含む有機カルボン酸から誘導される金属石鹸、例えばステアリン酸亜鉛、ステアリン酸マグネシウム、又はステアリン酸リチウム、ラウリン酸亜鉛及びミリスチン酸マグネシウムが挙げられ得る。
【０１５４】
加熱すると熱膨張することのできる化合物、特に熱膨張可能な粒子、例えば塩化ビニリデン／アクリロニトリル／メチルメタクリレートのコポリマー又はアクリロニトリルのホモポリマーコポリマーの膨張されていない微小球、例えばアクゾーノーベル社によりＥｘｐａｎｃｅｌ（商標）８２０  ＤＵ  ４０及びＥｘｐａｎｃｅｌ（商標）００７ＷＵの製品番号でそれぞれ販売されているものを使用することもまた可能である。
【０１５５】
フィラーは組成物の合計重量に対して０．１〜２５重量％、特に１〜２０重量％に相当し得る。
【０１５６】
本発明に従う組成物（ｉ）又は（ｉｉ）のそれぞれは、化粧料において通常使用される任意の成分、例えば、抗酸化剤、保存剤、ファイバー、香料、中和剤、ゲル化剤、増粘剤、ビタミン、コアレッサー、及び可塑剤、及びそれらの混合物をもまた含み得る。
【０１５７】
ファイバー
本発明に従う組成物（ｉ）又は（ｉｉ）のそれぞれは、長くする効果の改善を許すファイバーをもまた含み得る。
【０１５８】
用語「ファイバー」は、長さＬ及び直径Ｄの物体であって、ＬがＤよりずっと大きいような物体を意味すると理解されるべきである、ここでDはファイバーの断面が収まる円の直径である。特に、Ｌ／Ｄの比（または形状因子）は、３．５〜２５００、特に５〜５００、及びより特に５〜１５０の範囲で選ばれる。
【０１５９】
本発明の組成物に使用することができるファイバーは、合成または天然起源の、鉱物質または有機物のファイバーであり得る。それらは、短いか又は長く、個別であるかまたは組織されており、例えば編まれており、及び中空又は中実であり得る。それらは、意図されている特定の用途に応じて、いかなる形状を有していてもよく、特に、円形又は多角形（四角形、六角形又は八角形）の断面を有していてよい。特に、それらの端部は、怪我を防止するために、鈍角にされている及び／又は研磨されている。
【０１６０】
特に、１μｍ〜１０ｍｍの長さ、好ましくは０．１ｍｍ〜５ｍｍ、及びより好ましくは０．３ｍｍ〜３．５ｍｍの範囲の長さを有する。それらの断面は、２ｎｍ〜５００μｍ、好ましくは１００ｎｍ〜１００μｍ、及びより特に１μｍ〜５０μｍの範囲の直径の円内であり得る。ファイバーの重量または番手は、しばしばデニールまたはデシテックスで与えられ、９ｋｍのヤーン当たりのグラムによる重さを示す。特に、本発明に従うファイバーは、０．１５〜３０デニール、よりよくは０．１８〜１８デニールの範囲で選択される番手を有し得る。
【０１６１】
本発明の組成物において使用され得るファイバーは、硬いファイバー又は硬くないファイバーから選択され得、合成又は天然、鉱物又は有機源のものであり得る。
【０１６２】
さらに、ファイバーは、表面処理されていてもいなくてもよく、被覆されていてもいなくてもよく、着色されていてもいなくてもよい。
【０１６３】
本発明に従う組成物に使用され得るファイバーとして、硬くないファイバー、例えばポリアミド（ナイロン（商標））ファイバー、又は硬いファイバー、例えばポリイミドアミドファイバー、例えばＲｈｏｄｉａ社によりＫｅｒｍｅｌ（商標）及びＫｅｒｍｅｌ  Ｔｅｃｈ（商標）の名前で販売されているもの、又は特にデュポンドヌムール社によりケフラー（商標）の名前で販売されているポリ（ｐ−フェニレンテレフタルアミド）（又はアラミド）ファイバーが挙げられ得る。
【０１６４】
ファイバーは本発明に従う組成物中に、組成物の総重量に対して０．０１〜１０重量％、特に０．１〜５重量％、より特に０．３〜３重量％の範囲の含有量で存在することができる。
【０１６５】
化粧活性剤
本発明に従う組成物（ｉ）又は（ｉｉ）において使用され得る化粧的に活性な成分として、特に抗酸化剤、保存剤、香料、中和剤、柔軟剤、保湿剤、ビタミン、及びスクリーニング剤、特にサンスクリーンが挙げられ得る。
【０１６６】
言うまでもないが、本発明に従う組成物の有利な性質が、想定される添加により悪影響を受けない、又は実質的に受けないように当業者は任意の添加剤及び／又はそれらの量を選択するように注意する。
【０１６７】
本発明の特定の実施態様に従うと、
組成物（ｉ）は、連続性の水性相、０．７Ｎｓ以上の粘着性及び３．５ＭＰａ以下の硬度を有する少なくとも１の粘着性ワックス、カチオン性親水性ポリマー及びアニオン性親水性ポリマーの少なくとも１の組合せ及び少なくとも１の上述のアクリルターポリマーを含み、
組成物（ｉｉ）は、連続性水性相、０．７Ｎ．ｓ以上の粘着性及び３．５ＭＰａ以下の硬度を有する少なくとも１の粘着性ワックス、カチオン性親水性ポリマー及びアニオン性親水性ポリマーの少なくとも組み合わせ、及び水性相に分散された少なくとも１のフィルム形成性ポリマーを含む。
【０１６８】
２つの組成物（ｉ）及び（ｉｉ）は、染料の存在により与えられる色相以外の肉眼に視認可能である少なくとも１の光学的性質において異なっていてもよい。それは特に光沢であってもよい。
【０１６９】
キット
本発明に従うキットは、本発明に従う化粧料組成物（ｉ）及び（ｉｉ）を施与するための１以上の手段を有利に含み得る。
【０１７０】
組成物（ｉｉ）は、以下に、より詳細に記載される施与手段を使用して施与される。
【０１７１】
組成物（ｉ）は、睫及び／又は眉毛をメイクアップするために一般的に使用される任意のブラシ又は任意の櫛を使用して施与され得る。
【０１７２】
本願の場合、仏国特許第２７０１１９８号、仏国特許第２６０５５０５号、欧州特許第７９２６０３号及び欧州特許第６６３１６１号に記載されているようなメイクアップブラシで組成物（ｉ）を施与することが特に有利である。
【０１７３】
本発明に従うメイクアップキットは、一つの特定の実施態様に従うと、少なくとも２の独立したパッケージング、１つは上で定義された組成物（ｉ）を含み、他は、やはり上で定義された組成物（ｉｉ）を含み、上述されたように施与の順序に依存して、優先なしに、いずれか一方が「トップコート」又は「ベースコート」である。
【０１７４】
本発明に従うキットは、掃拭するための部材を含み得る。この掃拭部材は、例えば胞状物質（ａｌｖｅｏｌａｒ  ｍａｔｅｒｉａｌ）、例えばフロッキングあり又はなしの開放セル又は閉鎖されたセルのフォーム、のブロックを含み得る。変形として、掃拭部材は、場合によってフロックされていてもよい非胞状物質、例えばエラストマー又はポリオレフィンを含み得る。この場合特に、掃拭部材は、例えば少なくとも１のスリットを含み得、及び／又は柄を掃拭するようにアレンジされたリップを含み得る。
【０１７５】
睫又は眉毛へのメイクアップの施与は、ユーザーによる多くの動作、すなわち少なくとも２の工程、第一工程は「ベースコート」組成物を施与することからなり、第二工程は前記化粧料組成物の上全体に又は部分的に「トップコート」組成物を施与することからなる動作により行われるので、同一のパッケージング中に用意されたメイクアップキットが特に適する。この選択は、本発明の好ましい実施態様を構成する。
【０１７６】
キットが同一のパッケージングの形態であるとき、キットは、組成物（ｉ）を含む少なくとも１のコンパートメント又は貯留部（該コンパートメントは閉鎖部材により閉鎖される）、及び組成物（ｉｉ）を含む少なくとも１のコンパートメント又は貯留部（やはり閉鎖部材により閉鎖される）の限界を画する容器として提示され得る。
【０１７７】
繰り返しになるが、キットが同一のパッケージングの形態であるとき、このパッケージングは、組成物（ｉ）のための少なくとも１の施与手段又はアプリケーター、特に撚回されたワイヤーにより保持された歯の列を含むブラシの形態であるアプリケーターを好ましくは含む。そのような撚回されたブラシは、特に米国特許第４８８７６２２号に記載されている。それは、特に成型により得られる、複数の施与部材を含む櫛の形態であってもよい。そのような櫛は、例えば仏国特許第２７９６５２９号に記載されている。アプリケーターは、例えば仏国特許第２７６１９５９号に記載されているように、容器にしっかりと接続されていてもよい。有利に、アプリケーターは、柄にしっかりと接続されており、柄自身は、閉鎖部材にしっかりと接続されている。
【０１７８】
閉鎖部材は、螺挿することにより容器に結合され得る。あるいは、閉鎖部材と容器の結合は螺挿以外、特にベイヨネット（ｂａｙｏｎｅｔ）機構、クリック締め（ｃｌｉｃｋ−ｆａｓｔｅｎｉｎｇ）又は締め付けによっても行われる。用語「クリック締め」は特に、ある部分、特に閉鎖部材の弾性的な変形による物質の縁又は玉の通過、続いて、該縁又は玉が通過した後に該部分の弾性的に歪んでいない位置への戻りを含む任意のシステムを意味する。
【０１７９】
有利に、２つのコンパートメント又は貯留部を含む容器は、少なくとも部分的に熱可塑性物質で作られていてもよい。挙げられ得る熱可塑性物質の例はポリプロピレン及びポリエチレンを含む。
【０１８０】
あるいは、容器は非熱可塑性物質、特にガラス又は金属（又は合金）で作られている。
【０１８１】
容器は好ましくは、容器の少なくとも１の開口部の領域に位置されたドレーナーを備えられている。そのようなドレーナーは、アプリケーター、場合によってアプリケーターがしっかり結合されている柄、を掃拭することを可能にする。そのようなドレーナーは、特に仏国特許第 ２ ７９２ ６１８号に記載されている。
【０１８２】
前述された特許又は特許出願の内容は参照することにより、本特許出願に取り込まれる。
【０１８３】
一つの特に好ましい実施態様に従うと、メイクアップキットは、「ベースコート」及び「トップコート」組成物の中の１つをそれぞれ含む２つの貯留部を含み、貯留部の１つはメイクアップブラシ、特に上述されたマスカラブラシタイプのメイクアップブラシを備えられており、他は下に記載される組成物（ｉｉ）を施与するための手段を備えられている。
【０１８４】
施与手段
本発明に従うキットに含まれる施与手段は、その長さが、施与部材が睫の房のせいぜい４分の１以下に同時に接触することができるようなものである少なくとも１の列の形態で支持部の上に配置されている複数の施与部材を含む。
【０１８５】
一つの好ましい実施態様に従うと、本発明に従うキットに含まれる施与手段は、
柄、
該柄に接続され、長手軸にそって延びる支持部、及び
該支持部上に配置され、支持部の長手軸に対して実質的に横方向に延びる複数の施与部材、適切であれば２つのみであり得る、
を含む。
【０１８６】
すなわち、一つの最も特に好ましい実施態様に従うと、施与手段は、少なくとも１の列の形態で支持部（５）の上に配置されている複数の施与部材（６；６０）であって、その列の長さは、施与部材（６；６０）が睫の房のせいぜい４分の１以下に同時に接触することができるようなものであるところの手段を含む。
【０１８７】
施与部材が、せいぜい睫又は眉毛の房の４分の１以下、又は５分の１以下でさえ、又は６分の１以下と同時に接触することができるような距離だけ支持部の長手軸に沿って施与部材は延びていることができ、支持部の長手軸は房に対して実質的に接線方向に向けられている。
【０１８８】
メークアップされた睫又は眉毛の部分は、例えば房の長さのせいぜい４分の１、又は５分の１又は６分の１以下にさえ相当し得る。
【０１８９】
施与部材は、歯及び／又は剛毛を含む。
【０１９０】
このアプリケーターは、可能な梳く作用を実行すると同時に便利に睫をチャージすることを可能にする。
【０１９１】
施与部材は、一本又は複数本の睫をメークアップすることができるのに十分短い長さに渡って支持部上に延び、このことは、新しいメークアップ効果が得られることを可能にする。
【０１９２】
このアプリケーターは、支持された様式で、物質を、メイクアップされるべき睫の房のせいぜい３分の１以下又は４分の１以下さえにのみ堆積させることを可能にする。その部分は好ましくは睫の房の外側である。
【０１９３】
施与部材は、例えば０．１ｃｍ〜１．５ｃｍの距離、例えば８ｍｍ以下、又は７ｍｍ以下又は６ｍｍ以下、例えば約２ｍｍ〜５ｍｍ、例えば２ｍｍ〜３ｍｍの範囲の距離に渡って支持部上で延びていてもよい。
【０１９４】
本発明に従うキットに含まれるアプリケーターは、
柄、
該柄に接続され、長手軸に沿って延びている支持部、及び
特に歯により構成され、該支持部上に配置された少なくとも１列の施与部材を含み得、該列の施与部材それぞれは支持部の長手軸に対して実質的に横方向に延び、列の両末端の施与部材の間を動くと長手軸への距離が単調でなく変化する自由端を有する。
【０１９５】
施与部材の列における最大値の存在は、施与部材が睫に累進的に侵入し、すなわち本発明に従う睫の房の部分のメークアップを容易にすることを許す。
【０１９６】
列中の施与部材の数、特に歯の数は、例えば３〜９、好ましくは３〜８、特に３〜７であり得る。
【０１９７】
一つの実施態様に従うと、支持部及び施与部材は、特に成形又はマシンニングにより単一部品として製造される。変形として、施与部材は支持部に接続されていてもよい。
【０１９８】
支持部及び柄は、特に成形により単一部品として製造され得、又は変形として、支持部は柄にはめ込まれてもよい。この場合、支持部は柄のためのハウジング部に嵌合するようにアレンジされたチップを含んでいてもよい。又は柄は支持部のためのハウジングに嵌合するようにアレンジされたチップを含んでいてもよい。
【０１９９】
柄は、支持部の長手軸とは異なる長手軸に沿って延びていてもよい。この場合、柄の長手軸は支持部の長手軸と、特に施与部材を有するそれらの部分について、５°〜４５°、特に１５°〜２５°の角度、例えば約２０°の角度をなし得る。この配置は、睫への本発明に従うメイクアップ組成物の施与の間に、アプリケーターのより快適な取り扱いを許し得る。支持部の長手軸は、例えば曲線又は直線であってもよい。
【０２００】
変形として、柄は支持部の長手軸と一致する長手軸に沿って延びていてもよい。
【０２０１】
アプリケーター及び／又は支持部は、少なくとも部分的には、柔軟な又は剛直である物質、特に少なくとも部分的には、熱可塑性、弾性、又は弾性−熱可塑性物質から、特に成形により製造されていてもよい。もしアプリケーターが少なくとも部分的に、木、金属、又は他の物質から、特にマシンニングにより製造されていたならば、それは本発明の文脈からの逸脱を構成しない。
【０２０２】
支持部が弾性的に変形可能な物質からできているとき、これは支持部の一方の側の優先的な掃拭を行うことを可能にし得る
【０２０３】
柄及び支持部は場合により異なる物質から製造されていてもよい。
【０２０４】
アプリケーターが側面から観察されたとき、施与部材の自由端を連結する線は、少なくとも１の極点、特に最大値を通過する、支持部の長手軸からの距離を有してもよく、それはアプリケーターが睫の中に累進的に侵入することを可能にする。
【０２０５】
上述した線は、特に少なくとも部分的に、尖っている形、特に三角形、又は丸みを帯びた形、特に円形又は尖塔アーチ形（ｏｇｉｖａｌ）を有してもよい。
【０２０６】
上述した線のプロフィールに関わらず、最大値又は最小値があるとき、第一に、該最大値にかかる最も長い施与部材、及び最も長い施与部材に最も近いものにかかる最も短い施与部材の自由端を連結する直線と、第二に、支持部の長手軸に対する法線、該法線は最も長い施与部材の自由端を通過する、との間に形成される角度は、例えば、約２５°〜約６０°、特に２５°〜５０°、特に２５°〜４５°の範囲、例えば３０°〜４５°の範囲、例えば約４３°である。
【０２０７】
支持部の長手軸からの上述した線の距離は、２以上の極点を通過してもよい。
【０２０８】
施与部材は、１列又は少なくとも２列に配列され得る。後者の場合、１列目の施与部材、及び２列目の施与部材は、異なる方向に延びていてもよく、あるいは変形として、平行に延びていてもよい。２つの列は例えば支持部に対して互いに実質的に反対に配置され得る。
【０２０９】
施与部材の高さは例えば約０．５ｍｍ〜約１０ｍｍ、特に、例えば、約１ｍｍ〜約３ｍｍの範囲であり得る。
【０２１０】
これらの施与部材が少なくとも１列に配置されているときに、この列は、幾何学的分離面のどちらかの側で少なくとも部分的に交互に延びている一続きの施与部材を含んでいてもよい。
【０２１１】
施与部材は、整列された基部を有していてもいなくてもよい。
【０２１２】
施与部材が少なくとも１列に配置されているとき、該列は非直線的である軸に沿って延びていてもよい。施与部材は、中央のコアのいずれかの側で交互されていてもよい。
【０２１３】
繰り返しになるが、施与部材が少なくとも１列に配置されているとき、この列は、少なくとも一部が、幾何学的分離面のいずれかの側に交互に配置されている一連の施与部材を含んでいてもよく、２つの隣り合う施与部材は、側面から観察されたとき、接続されている又は重なる隣接する部分を有し、それらの間に睫を受け入れるのに適する溝を形成する。
【０２１４】
アプリケーターは櫛まブラシを含み得る。
【０２１５】
アプリケーターがブラシを含むとき、支持部は、小さな直径、特に０．７ｍｍ未満、例えば０．２〜０．６ｍｍ、よりよくは０．３５〜０．５０ｍｍの撚回された２つのワイヤを含み得る。
【０２１６】
アプリケーターがブラシを含む場合もまた、施与部材は、小さな直径、例えば８／１００ｍｍ以下、よりよくは６／１００ｍｍ以下の歯であってもよい。
【０２１７】
ブラシが撚回されたコアを含むとき、ブラシの螺旋の数は、例えば３〜６であり得る。撚回されたコアを有するブラシの場合、剛毛はコアから２つの螺旋状のコースで延びていてもよい。ブラシの螺旋の数は、２つのコースのコアの周りの回転の合計に相当する。撚回されたコアの部分は、特に支持部及び柄の間の結合部の近辺において剛毛を有しなくてもよい。
【０２１８】
ブラシの外皮表面（ｅｎｖｅｌｏｐｅ  ｓｕｒｆａｃｅ）の断面は、円形、四角形、又は他の形状であり得る。
【０２１９】
ブラシは２つの円錐を合わせた形の外皮表面を有し得る。外皮表面は、円錐の底部がブラシの遠末端又は近末端の側に位置されている円錐形、又は円錐形台であり得る。
【０２２０】
本発明に従うキットに含まれるアプリケーターは、撚回されたコア及び該コアから延びている歯を含み、螺旋の数は６以下である、睫への製品の施与のためのブラシの形態をとり得る。
【０２２１】
本発明に従うキットに含まれるアプリケーターは、該ブラシはコア及び該コアから延びている剛毛を含み、剛毛を有するブラシの部分の長さが８ｍｍ以下、よりよくは７ｍｍ以下、又は６ｍｍ以下でさえある、睫への製品の施与のためのブラシの形態をとり得る。
【０２２２】
本発明に従うキットに含まれるアプリケーターは本発明に従う組成物の形態をもまたとり得、コア及び該コアから延びる剛毛を含み、実質的に円錐台形、円錐形、又は２つの円錐を合わせた形状の外皮表面に含まれ、該形状においてブラシの最大断面積を含む面及びこの面との交点におけるブラシの外皮表面に対する接線の間に形成される最小の角度が、２０°〜６０°、特に２５°〜５０°、例えば３０°〜３５°の範囲である。
【０２２３】
本発明に従うキットに含まれるアプリケーターは、本発明に従う睫への組成物の形態をとり得、コア及び該コアから延びる剛毛を含み、該形状においてブラシの外皮表面は実質的に円錐形を２つ合わせた形状を有し、１２０°以下、又はさらに９０°以下である円錐台間の接続部における頂角を有する。
【０２２４】
本発明に従うキットに含まれるアプリケーターは、睫への製品の施与のための櫛であって、支持部及び支持部の長手軸に対して横向きに延びる歯を含み、長手軸に沿う最も端の歯の間の距離は、８ｍｍ以下、よりよくは７ｍｍ以下、また６ｍｍ以下でさえある櫛の形態をとり得る。
【０２２５】
本発明に従うキットに含まれるアプリケーターは、睫への製品の施与のための櫛であって、該櫛は、支持部及び該支持部の長手軸に対して横向きに延びる歯を含み、第一の長さを有する最長の歯、及び第二の長さを有する最短の歯を有し、該櫛において第一の長さ：第二の長さは１．３以上である櫛の形態をもまたとり得る。
【０２２６】
本発明に従うキットに含まれるアプリケーターは、睫への製品の施与のための櫛であって、該櫛は、支持部及び支持部の長手軸に対して横向きに延びる歯を含み、最短の長さの歯の自由端及び最長の長さの歯の自由端を連結する直線と、最長の長さの歯の自由端を通過する支持部の長手軸に対する垂線との間に形成される角度が２０°〜６０°である櫛の形態をもまたとり得る。
【０２２７】
キットが掃拭部材を含むとき、アプリケーター支持部は、掃拭部材への通過を容易にするような外形にされ、この目的のために、例えば丸くされた鼻を正面に、及び背面にバンプを含んでいてもよい。
【０２２８】
アプリケーターの柄は、ハンドル部材としてもまた機能し得る容器を閉鎖するためのキャップに接続されていてもよく、アプリケーターは、閉じられた位置にあるときは、容器の中に収容され得る。
【０２２９】
本発明は、キット及びキット自体に含まれる施与部材の実施の非制限的な実施例の以下の詳細な説明を読み、及び添付の図面を調べると、よりよく理解され得る。
【実施例】
【０２３０】
図１に示された装置１は、このキットが２つの独立したパッケージング中に用意されるときにはキットの一部に相当し、装置１は化粧料製品Ｐ、この場合組成物（ｉ）又は（ｉｉ）の一方、の貯留部を含む容器２、及び長手軸Ｘの柄４を含むアプリケーター３を含む。本発明に従う施与手段を含む装置のみ及び本発明に従う組成物の一つがその中に示されている。
【０２３１】
柄４は、複数の施与部材６を含む支持部５と１つの末端において嵌合されており、柄４は、反対の末端において容器２を閉め、またハンドル部を構成する閉じ蓋７に連結されている。
【０２３２】
閉鎖キャップ７は、容器２の外側に螺刻された首１１に螺挿するための内側の螺刻（示されていない）を含んでいる。
【０２３３】
容器２は、記載された実施例において、首１１に嵌合され、柄４及び施与部材６を備えられた支持部５を掃拭するように配置された掃拭するためのリップ９を含む掃拭部材８を含む。
【０２３４】
掃拭部材８は、適切な場合には、施与部材６の通過のときに、変形されることができるようにアレンジされていることができる。
【０２３５】
掃拭部材８は、例えばポリオレフィンの射出成形により作られ得る。
【０２３６】
容器２は、使用されないときは、閉鎖キャップ７を首１１に螺挿することにより密閉される。
【０２３７】
示された実施例において、アプリケーター３は、櫛、歯からなる施与部材６を含む。支持部５は特に図３に例示されるように、長手軸Ｙに沿って延び、柄４の長手軸Ｘとゼロではない角αを形成する。この角αは、例えば５°〜４５°であり得る。
【０２３８】
例えば、６つある施与部材６は、考慮下の実施例においては、列１０に配置されている。
【０２３９】
施与部材６は、種々の配置で支持部５上に配置され得る。
【０２４０】
例示された実施例において、列１０は、歯６ａの第一シリーズ及び歯６ｂの第二シリーズを含み、それらはそれぞれ幾何学的な分離面Ｓの両側にそれぞれ位置されている。該面Ｓは、この場合、櫛の対称の中央平面であり、図３の平面に対して平行であり、櫛の成形のための接合面（ｊｏｉｎｔ  ｐｌａｎｅ）をもまた構成する。
【０２４１】
例示された実施例において、歯６ａ及び６ｂは、底において歯が接続されているところの骨格として基本的に機能する支持部５の共通のコア１５の両側に交互に作られる。
【０２４２】
支持部５は、容器２への戻りを容易にするために、丸みを付けられた鼻１７を正面において付与されている。
【０２４３】
支持部５は、容器２からの移動の間の掃拭部材８の横断を容易するために、バンプ１８を後部に含む。
【０２４４】
各施与部材６は、自由端３０で終わるトップ部分２０及び支持部５のコア１５に接続された底部２２を含む。
【０２４５】
考慮下の実施例において、施与部材６は、支持部５の軸Ｙに実質的に直角に延びる。
【０２４６】
施与部材の自由端３０は、列１０の両末端の施与部材間で、すなわち図３において左から右に移動するときに単調ではなく変化する長手軸Ｙからのある距離にある。
【０２４７】
本発明の目的のために、用語「単調でなく変化する」は、施与部材の自由端を連結する線が、少なくとも１の極点、例えば最大値を通過する、支持部の長手軸からの距離を有することを意味すると理解されるべきである。
【０２４８】
例示された実施例において、自由端３０を結ぶ線Ｌは、アプリケーターが横から観察されるとき、柄４の長手軸及び上記の幾何学的分離面に垂直な方向において、図３に示されるように実質的に三角形を有し、２つの直線部分はそれらの間で図面において実質的に９０°に等しい角を形成する。
【０２４９】
考慮下の実施例において、施与部材６の連続は、同じ長さの２つのより大きい歯６ａ及び６ｂを含む。
【０２５０】
アプリケーターの遠末端から出発する最も短い部材の自由端を通過し、最も長い部材に最も近い最も長い部材の自由端を通過する直線Ｄ１は、考慮下の実施例における線Ｌの第一の直線部分と同一である。
【０２５１】
直線Ｄ１と上述の最も長い施与部材の自由端を通過する軸Ｙに垂直なＮ１との間に形成される角γ１は、例えば２５°〜６０°、例えば約４３°である。
【０２５２】
支持部５の近末端から最も短い施与部材を通過し、そしてこの部材に最も近い最も長い施与部材を通過する直線Ｄ２は、線Ｌの第二の直線部分と同一である。
【０２５３】
直線Ｄ２及びこの最も長い施与部材の自由端を通過する軸Ｙに垂直なＮ２との間に形成される角γ２は、角γ１と同じ範囲の値内であり得、例えば実質的にγ１と等しくてもよい。直線Ｌの部分間の頂角は、例えば１２０°以下、又は９０°以下でさえある。
【０２５４】
施与部材６は、相対的に短い距離ｄ、特におよそ０．１〜１ｃｍの距離ｄに渡って支持部５上で延びている。すなわち、図２に例示されるように、アプリケーター３を使用して、瞼の睫の全部に一度に接触することなく睫の一部のみをメイクアップすることが可能である。例えば、示されるように、施与部材は上瞼の睫の４分の１未満に同時に接触することができる。
【０２５５】
支持部５及び施与部材６は、例示された実施例においては単独の物として、プラスチックを成形することにより製造される。支持部５は、図１０及び１１について、後で詳細に説明される様式で柄４に接続される。
【０２５６】
記載された実施例において、２つの連続した施与部材６のトップ部分２０は、図３におけるように、櫛が横から観察されたときに、コア１５に対して実質的に下向きに延びる溝２１をそれらの間に形成する。溝２１は、例えば睫を分離し、睫を梳かし又はその表面に堆積される製品を広げるために睫がより容易に捕捉されることを許す。
【０２５７】
施与部材の長さ及び間隔を変更することにより、アプリケーターが取り上げる製品の量を容易に変更することが可能であることが理解される。
【０２５８】
幾何学的な分離面の同じ側に位置する、２つの連続する施与部材６ａ及び６ｂのピークの間の隙間は、考慮下の実施例においては、支持部５の軸Ｙに平行である、アプリケーター３のおよそ中間の高さにおいて測定されて、施与部材の幅より著しく大きい。
【０２５９】
アプリケーター３が横から観察されるときに、各施与部材６ａは２つの隣接する施与部材６ｂから実質的に中間の距離において延び、またその逆である。
【０２６０】
考慮下の実施例において、施与部材６のトップ部分２０はすべて、実質的に同じ方向を指す。
【０２６１】
コア１５の同じ側に位置する２つの連続する施与部材の底部２２は、それらの間で、及びコア１５と共に、製品貯留部を構成することのできる空洞２３を形成する。
【０２６２】
施与部材の互い違いの配置のおかげで、及び施与部材のトップ部分２０により形成される溝２１が十分に真っ直ぐである事実により、施与部材６ａ及び６ｂの間の空間は相対的に大きく、アプリケーターが睫を掴む容量を失なうことなくアプリケーターが取り上げる製品の量を改善する。
【０２６３】
施与部材６は、本発明の文脈から離脱することなく、多くの構成、特に異なる方向を向いたトップ部分を有し得る。
【０２６４】
もし施与部材６が支持部５の上で異なって配置されているとしても、それは本発明の文脈からの逸脱を構成しない。
【０２６５】
図５及び６は、複数の歯６、例えば列１０において延びている７本の歯、を含むアプリケーターの別の例を示す。歯６は、図６においてみられるように、整列された底部２２を有するが、２つの連続する歯６ａ及び６ｂの上部２０は発散している。
【０２６６】
図７は、支持部５のあの軸Ｙと一致する長手軸Ｘを有する柄４を製造することが可能であることを示す。
【０２６７】
図８において、柄４の長手軸Ｘとゼロでない角度αをなす長手軸Ｙを有する支持部５が示され、図８における支持部の傾きの方向は、図１〜４の支持部の傾きと反対である。
【０２６８】
支持部５は、図９において示されるように例えばプラスチックを成形することにより柄４と一体品として製造され得る。しかし支持部５は、柄４に嵌め込まれることもできる。
【０２６９】
図１０に示された実施例において、支持部５は、環状のチャンネル３６を含む実質的に円筒状のチップ３５を含む。柄４は、チャンネル３６にカチッとはまるようにアレンジされた環状の縁３８と嵌合された対応するハウジング３７を含む。
【０２７０】
チップ３５は柄４に強制的に嵌合されるように構成されることもできる。
【０２７１】
図１１の実施例において、柄４は、支持部５の対応するハウジング４１に格納されるようにアレンジされた、実質的に円筒形のチップ４０を含む。
【０２７２】
アプリケーター３は、６又は７未満の数の歯を含み、図１２に示されたように、特に２本だけの歯６を含み得る。歯は同じ幅を有していてもいなくてもよい。
【０２７３】
施与部材６の自由端３０を連結する線Ｌは、図１３〜１７に示されるように、図１〜１１もの以外の種々の形状を有しうる。
【０２７４】
特に、線Ｌは、丸みを帯びた形状を有し得、図１３に示されるように特に実質的に円形の形状又は図１４に示されるように尖塔アーチの形状であってもよい。極点は、前に示されたように支持部５の実質的に中央に据えられていてもよいし、又は図１５に示されるように柄４のより近くであってもよく、又は図１６に示されるようにアプリケーターの遠末端により近くてもよい。線Ｌから支持部５の長手軸Ｙへの距離は、図１７において示されるように、２つの極点を通過してもよい。
【０２７５】
図１３において、支持部は丸みを帯びた鼻１７及び／又はバンプ１８なしであってもよいことが見られる。
【０２７６】
この図は、直線Ｄ１及びＤ２，並びに考慮下の実施例においては唯一つである最長の施与部材の自由端を通る支持部５の長手軸Ｙに対する垂線Ｎをもまた示す。
【０２７７】
直線Ｄ１及びこの法線Ｎの間に形成される角度γ１、及び直線Ｄ２及びこの法線Ｎの間に形成される角度γ２は、同じであっても異なっていてもよく、例えば前に与えられた値の範囲である。
【０２７８】
図１７の例において、第一の相対的な極点にかかる施与部材の自由端を通る法線Ｎに対する角度γ１及びγ２、及び第二の相対的な極点に対応する施与部材の自由端を通る法線Ｎ’に対する角度γ’１及びγ’２が定義され得、これらの角度も例えば前に与えられた値の範囲である。
【０２７９】
図１８は、２列、例えば支持部５のコア１５について互いに反対に据えられた２列、の施与部材を支持部５の上に作る可能性を示す。施与部材は、列ごとに異なって延びていてもよく、特に図１８において示されるように、アプリケーター３が側面から観察されるとき、異なるプロフィールを有してもよい。
【０２８０】
断面図において、コア１５は、図１９、２０、及び２２において示されるように、円形の形状、又は何か他の形状、例えば平らにされた形状、図２１に示されるように特に実質的に長方形を有してもよい。
【０２８１】
支持部５は、図１９に示されるように整列された１列の歯を含み得、又は異なる方向、例えば図２０に示されるように発散する方向、又は図２１に示されるように平行な方向に延びる複数の列の歯を含み得る。
【０２８２】
支持部５のコア１５の周囲全体にアレンジされた複数の列１０を含むアプリケーターが、図２２に示される。
【０２８３】
アプリケーターが側面から観察されたとき、施与部材６は、図１〜２２において示されるように、その長さの少なくとも一部に渡って、実質的に一定である幅のプロフィールを有し得る。施与部材６は異なるプロフィールをもまた有し得、図２３において示されるように、特に実質的に三角形であるプロフィール、又はさらに他のプロフィールをもまた有し得る。
【０２８４】
図２４に示されるように、施与部材はジグザグ型に配置され得る。
【０２８５】
掃拭部材８は、本発明の範囲を離れることなしに、図１に示されたものと異なり得る。掃拭部材８が胞状物質、特に開放型セル又は閉鎖されたセルのフォームからなる装置が図２５に例として示されている。
【０２８６】
変形として、掃拭部材８は弾性体から作られていてもよく、図２６において示されるように少なくとも１のスリット５０を含み得る。掃拭部材８は、図２７に示されるように、その底の下方末端において以外に環状のリップ５１を含み得る。
【０２８７】
施与部材は、歯以外であってもよく、図２８に示されるように、支持部に例えば接続された剛毛を含み得る。そうすると、アプリケーター３は例えば、その剛毛６０が支持部の長手軸Ｙに対して実質的に横向きに延びているブラシをふくみ、該軸は示されているように、柄４の長手軸Ｘと同一であってもよい。
【０２８８】
考慮下の実施例において、剛毛は支持部の長手軸Ｙに沿って距離ｄに渡って延び、該支持部は、剛毛が、メークアップされることが所望されている睫又は眉毛の房の睫又は眉毛の４分の１超と同時に接触することができないようなものである。距離ｄは例えば約２ｍｍ〜約３ｍｍであり得、螺旋の数は例えば３〜６の範囲であり得る。
【０２８９】
図２８に示されるようにアプリケーター３が側面から観察されたとき、剛毛の自由端を連結する線Ｌは、少なくとも１の極点を通る軸Ｙからの距離を有し得る。
【０２９０】
アプリケーター３がブラシを含むとき、使用される剛毛６０は好ましくは相対的に細く、例えば約６／１００ｍｍの直径を有する。
【０２９１】
剛毛６０は、中実であって、実質的に円形である断面を有し得る。
【０２９２】
コア６１は、Ｕ字型に折り曲げられ、その腕が一緒に撚回されて、剛毛をそれらの間に掴むことができるようにされた金属ワイヤにより形成され得る。
【０２９３】
使用される金属ワイヤは、好ましくは相対的に細く、例えば０．７ｍｍ未満、特に０．３５〜０．５ｍｍの範囲の直径を有する。
【０２９４】
図２９〜３５は、変形のアプリケーターを示す。
【０２９５】
図２９において、アプリケーター３は、最長の剛毛が柄４の側にあり、実質的に円錐形、又は円錐台形である外皮表面を有するブラシを含む。
【０２９６】
最大断面積を通過するブラシの長手軸Ｙに対する垂線と、外皮表面に対する接線との間に形成される角度δは、例えば２０°〜６０°である。
【０２９７】
図３０のアプリケーター３は、実質的にバイコニカル形である外皮表面を有するブラシを含むのに対し、図３１のアプリケーターは、実質的に円錐形又は円錐台形である外皮表面を含み、最短の剛毛は柄４の側にある。
【０２９８】
ブラシの長手軸Ｙは、柄の軸Ｘと一直線になっていてもいなくてもよい。
【０２９９】
軸Ｙは、図３２〜３５に示されるように、柄の軸Ｘと角度αをなし得る。例えば、角度αは、約５°〜約４５°の範囲であり得、例えば約２０°であり得る。
【０３００】
ブラシの外皮表面Ｅは、図３６に示されるように円形の断面、又は他の断面、特に多角形又は長方形であり得、又は刻み目又は切れ目がついていてもよい。
【０３０１】
撚回されたコアが曲げられているとき、該曲げは、図３２〜３５に示されるように、多かれ少なかれ柄４の近くであり得る。
【０３０２】
示されていない他の変形において、コアは曲げられている。
【０３０３】
図３７は、本発明の他の実施変形を示す。
【０３０４】
図３７は、本発明に従う組成物の一つが、可撓性のあるチューブの形態における容器２に含まれている本発明に従うキットの一部を示す。
【０３０５】
アプリケーター３の上に該組成物を堆積させるために他の分配方法、例えばポンプ分配器が使用され得、それは、本発明の範囲を離れない。
【０３０６】
図３８は、同一のパッケージングングの形態における本発明に従うキットであって、本発明に従う組成物を含む容器２及びアプリケーター３を含む容器２、及び本発明に従う第二組成物を含む第二容器７０及びアプリケーター３と異なっていてもよい第二アプリケーター７１を含むキットを示す。
【０３０７】
図３８に例示された実施例において、容器２は、螺挿で嵌合され、容器７０のための閉鎖キャップを構成する下方のスカート部７２を含む。
【０３０８】
アプリケーター７１は、例えば睫に第一組成物を施与することを可能にすることができ、ユーザーは次に睫の房の一部のみ、有利に該房のせいぜい３分の１以下に、より好ましくは睫の房の外側部分を、睫の房のせいぜい３分の１以下をメイクアップするためにアプリケーター３を使用することができる。
【０３０９】
２つの容器及び２つのアプリケーターを含む装置の他の例は、図３９〜４２に示された。
【０３１０】
これらの例におけるアプリケーターは、各容器が他方の容器に関するアプリケーターの握り部材として機能することができるように反対方向を向いている。
【０３１１】
図３９において、装置はマスカラブラシ及び、櫛を含む、本発明に従うアプリケーター３を含むのに対して、図４０の装置のアプリケーター３はブラシを含む。マスカラブラシは、例えば米国特許第５９３７８７０号、又はフランス国特許出願公開第２６０５５０５号において記載されたものから選択され得、それらの内要は参照することにより本出願に取り込まれる。
【０３１２】
図４１の装置は、櫛及びやはり櫛からなる本発明に従うアプリケーター３を含む。図４２のアプリケーターは、櫛及びブラシにより構成された本発明に従うアプリケーターを含む。図４１及び４２のアプリケーター７１の櫛は、例えば米国特許第６５８１６１０号、国際公開第０１／０５２７１号、又は米国特許第６５３９９５０号に記載されたものから選択され、それらの内要は、参照することにより本出願に取り込まれる。
【０３１３】
図３９〜４２の装置は、それぞれ容器７０及び２と結合される閉鎖キャップ８２及び７を連結するチューブ状のスリーブ８０を含む。例えば、閉鎖キャップ８２及び７は、スリーブ８０の中で例えば摩擦、接着、又はクリック締め（ｃｌｉｃｋ−ｆａｓｔｅｎｉｎｇ）により保持され得る。
【０３１４】
図４３は、本発明の方法に従って、本発明に従うキットを使用してメイクアップされた目を示す。睫の房の外側部分はより堆積された物質を含むことが観察される。嘆かわしい塊の形成はなく、特別なメイクアップ効果が得られる。
【０３１５】
言うまでもなく、本発明は丁度記載された実施の例に制限されない。種々の実施態様の特徴は特に組み合わせられ得る。
【０３１６】
本発明の実施の例において、施与部材は柄又は掃拭部材に対して横方向に延びていてもよい。
【０３１７】
方法
本発明の課題は、睫をメイクアップする及び／又はケアするための非治療的方法において、
組成物の合計重量に対して２６重量％以下のワックス及び親水性ポリマーの含有量を有する組成物（ｉ）の少なくとも１の被覆を睫に施与する少なくとも１の工程、及び
組成物の合計重量に対して２６重量％超のワックス及び親水性フィルム形成性ポリマーの合計含有量を有する組成物（ｉｉ）の少なくとも１の被覆を施与する少なくとも１の工程
を含む方法であって、
該組成物（ｉ）及び（ｉｉ）の少なくとも１つが連続的水性相を含み、組成物（ｉｉ）を施与する工程は、上述の施与手段を使用して行われる、
を含むことを特徴とする方法である。
【０３１８】
好ましい実施態様に従うと、組成物（ｉ）は、組成物（ｉｉ）の前に施与される。有利に、組成物（ｉｉ）は、さらに睫の房の一部にのみさらに施与される。このようにして、異なるチャージングに関して対照を作ることが最適である。
【０３１９】
すなわち、メイクアップ方法は、
本発明に従う第一組成物（ｉ）を睫の房の実質的全部に施与して、第一堆積物を形成すること、及び
睫の房の外側せいぜい３分の１以下により構成される部分の第一堆積物上に、本発明に従う一つの第二組成物（ｉｉ）により第二堆積物を形成すること
からなる工程を含み得る。
【０３２０】
例えば、第一組成物が完全に乾燥してしまう前に第二堆積物を形成することが可能である。
【０３２１】
第二部分は、睫の房の全長の少なくとも６分の１に渡って延びていてもよい。
【０３２２】
メイクアップされた房は、上瞼の睫の房であり得る。
【０３２３】
別の特定の実施態様に従うと、組成物（ｉ）は、睫の房の全体に施与され、組成物（ｉｉ）は睫の房のせいぜい３分の１以下、好ましくは睫の房の外側のせいぜい３分の１以下に、又は該房のせいぜい４分の１以下さえにのみ施与される。組成物（ｉ）が堆積され得る睫の房の部分は、睫の房の全長の８分の１から３分の１、好ましくは４分の１から３分の１であり得る。
【０３２４】
本発明は、以下の実施例により説明される。別に述べられない限り、示される量は組成物の合計重量に対する質量百分率として表される。
【０３２５】
親水性ポリマーは以下の実施例においてそのまま示される。
【０３２６】
実施例１〜４：組成物（ｉ）
【０３２７】
【表１】
2007296331.tif 000008
2007296331.tif 000009
2007296331.tif 000010
2007296331.tif 000011
【０３２８】
実施例５〜７：組成物（ｉｉ）
【０３２９】
【表２】
2007296331.tif 000012
2007296331.tif 000013
【０３３０】
上述の組成物（ｉ）及び（ｉｉ）のすべての組み合わせが想定され得る。
【０３３１】
一つの特定の実施態様に従うと、実施例２に記載された組成物は、組成物（ｉ）として施与され、実施例７に記載された組成物が組成物（ｉｉ）として施与される。組成物（ｉｉ）が睫の房の外側のせいぜい３分の１に施与されたとき特に、図４３に示された本発明に従う特定のメイクアップ効果、すなわち目線を開き、目を拡大し、場合によって目の形状の知覚を変化させる効果が得られる。
【図面の簡単な説明】
【０３３２】
【図１】キットが２つの独立したパッケージングの形態、すなわちパッケージングが本発明に従う施与手段、及び本発明に従う２つの組成物の１つをもまた含むパッケージングの形態にあるときのキットの一部の部分切断を伴う正面における概略図である。
【図２】本発明に従うアプリケーターの使用を説明する。
【図３】図１のアプリケーターの概略的及び部分的側面図である。
【図４】図１のアプリケーターの図式的かつ部分俯瞰図である。
【図５】変形のアプリケーターの図３の図に類似するものある。
【図６】図５のアプリケーターを示す図４の図に類似するものである。
【図７】図１のアプリケーターの他の変形を図式的かつ部分的側面図において示す。
【図８】図１のアプリケーターの他の変形を図式的かつ部分的側面図において示す。
【図９】図１のアプリケーターの他の変形を図式的かつ部分的側面図において示す。
【図１０】アプリケーターの柄への支持部の付属品の実施例を、部分的に切断して図式的に示す。
【図１１】アプリケーターの柄への支持部の付属品の実施例を、部分的に切断して図式的に示す。
【図１２】アプリケーターの実施態様の変形を、図式的かつ部分的な側面図において示す。
【図１３】本発明に従うアプリケーターの種々のプロファイルを、図式的かつ部分的な側面図において示す。
【図１４】本発明に従うアプリケーターの種々のプロファイルを、図式的かつ部分的な側面図において示す。
【図１５】本発明に従うアプリケーターの種々のプロファイルを、図式的かつ部分的な側面図において示す。
【図１６】本発明に従うアプリケーターの種々のプロファイルを、図式的かつ部分的な側面図において示す。
【図１７】本発明に従うアプリケーターの種々のプロファイルを、図式的かつ部分的な側面図において示す。
【図１８】２列の施与部材を含むアプリケーターの変形を、図式的かつ部分的側面図において示す。
【図１９】１以上の列の施与部材を含む種々のアプリケーターを図式的軸断面図において示す。
【図２０】１以上の列の施与部材を含む種々のアプリケーターを図式的軸断面図において示す。
【図２１】１以上の列の施与部材を含む種々のアプリケーターを図式的軸断面図において示す。
【図２２】１以上の列の施与部材を含む種々のアプリケーターを図式的軸断面図において示す。
【図２３】施与部材の種々の構成を側面図において示す。
【図２４】施与部材の種々の構成を側面図において示す。
【図２５】別の掃拭部材を含む図１のキットの部分の変形を示す。
【図２６】本発明に従うキットにおいて使用され得る掃拭部材の他の実施例を図式的かつ部分的軸断面図において示す。
【図２７】本発明に従うキットにおいて使用され得る掃拭部材の他の実施例を図式的かつ部分的軸断面図において示す。
【図２８】ブラシを含む変形の図１の図に類似する図である。
【図２９】ブラシの変形の図式的かつ部分図である。
【図３０】ブラシの変形の図式的かつ部分図である。
【図３１】ブラシの変形の図式的かつ部分図である。
【図３２】ブラシの変形の図式的かつ部分図である。
【図３３】ブラシの変形の図式的かつ部分図である。
【図３４】ブラシの変形の図式的かつ部分図である。
【図３５】ブラシの変形の図式的かつ部分図である。
【図３６】図２８のブラシの図式的断面図である。
【図３７】本発明に従う組成物が苛撓性のあるチューブを使用して施与部材上に堆積されるところの実施例の部分的俯瞰図である。
【図３８】同一のパッケージングの形態における本発明に従うキットの図式的軸断面図である。
【図３９】同一のパッケージングの形態における本発明に従うキットの図式的軸断面図である。
【図４０】同一のパッケージングの形態における本発明に従うキットの図式的軸断面図である。
【図４１】同一のパッケージングの形態における本発明に従うキットの図式的軸断面図である。
【図４２】同一のパッケージングの形態における本発明に従うキットの図式的軸断面図である。
【図４３】本発明のメイクアップ方法に従って得られ得るメイクアップのタイプを例示する。
【符号の説明】
【０３３３】
Ｅ      外皮表面
Ｌ      直線
Ｎ      法線
Ｐ      化粧料製品
Ｓ      分離面
Ｘ      長手軸
Ｙ      長手軸
ｄ      距離
α      角度
γ      角度
γ１    角度
γ２    角度
δ      角度
１      装置
２      容器
３      アプリケーター
４      柄
５      支持部
６      施与部材
６ａ    歯
６ｂ    歯
７      閉鎖キャップ
８      掃拭部材
９      リップ
１０    列
１１    首
１５    コア
１７    鼻
１８    バンプ
２０    トップ部分
２１    溝
２２    底部
２３    空洞
３０    自由端
３５    チップ
３６    チャンネル
３７    ハウジング
３８    縁
４０    チップ
４１    ハウジング
５０    スリット
５１    リップ
６０    剛毛
６１    コア
７０    第二容器
７０    容器
７１    第二アプリケーター
７２    スカート部
８０    スリーブ
８２    閉鎖キャップ
【図１】
2007296331.tif 000014
【図２】
2007296331.tif 000015
【図３】
2007296331.tif 000016
【図４】
2007296331.tif 000017
【図５】
2007296331.tif 000018
【図６】
2007296331.tif 000019
【図７】
2007296331.tif 000020
【図８】
2007296331.tif 000021
【図９】
2007296331.tif 000022
【図１０】
2007296331.tif 000023
【図１１】
2007296331.tif 000024
【図１２】
2007296331.tif 000025
【図１３】
2007296331.tif 000026
【図１４】
2007296331.tif 000027
【図１５】
2007296331.tif 000028
【図１６】
2007296331.tif 000029
【図１７】
2007296331.tif 000030
【図１８】
2007296331.tif 000031
【図１９】
2007296331.tif 000032
【図２０】
2007296331.tif 000033
【図２１】
2007296331.tif 000034
【図２２】
2007296331.tif 000035
【図２３】
2007296331.tif 000036
【図２４】
2007296331.tif 000037
【図２５】
2007296331.tif 000038
【図２６】
2007296331.tif 000039
【図２７】
2007296331.tif 000040
【図２８】
2007296331.tif 000041
【図２９】
2007296331.tif 000042
【図３０】
2007296331.tif 000043
【図３１】
2007296331.tif 000044
【図３２】
2007296331.tif 000045
【図３３】
2007296331.tif 000046
【図３４】
2007296331.tif 000047
【図３５】
2007296331.tif 000048
【図３６】
2007296331.tif 000049
【図３７】
2007296331.tif 000050
【図３８】
2007296331.tif 000051
【図３９】
2007296331.tif 000052
【図４０】
2007296331.tif 000053
【図４１】
2007296331.tif 000054
【図４２】
2007296331.tif 000055
【図４３】
2007296331.tif 000056
【外国語明細書】
2007296331000001.pdf
2007296331000002.pdf
2007296331000003.pdf
2007296331000004.pdf